(57)【特許請求の範囲】
【請求項１】
ユーザ機器（ＵＥ）デバイスを動作させる方法であって、
前記ＵＥデバイスにおいて、第１の通信プロトコルに関連する前記ＵＥデバイス内の第１のモデムと、第２の通信プロトコルに関連する前記ＵＥデバイス内の第２のモデムとを動作させることと、前記第１のモデムはパワーアップモードにあり、前記第２のモデムはパワーダウンモードにある、
前記第１のモデムにおいて、ＵＥデバイス発見信号を第１の周波数帯域を介して送信することと、
前記第１の通信プロトコルに従う発見信号を、前記ＵＥデバイス発見信号を検出した小カバレージエリア基地局から前記第１の周波数帯域を介して、前記第１のモデムにおいて受信することと、前記第１の周波数帯域および前記第１の通信プロトコルは、ユーザデータを通信するためにマクロ基地局によって使用され、第２の周波数帯域および前記第２の通信プロトコルは、ユーザデータを通信するために前記小カバレージエリア基地局によって使用される、
前記発見信号を受信することに応答して、前記第２のモデムをパワーアップモードに切り替えることと、
前記第２の通信プロトコルに従って前記小カバレージエリア基地局からの信号を求めて前記第２の周波数帯域を走査するために、または前記第２の周波数帯域において前記小カバレージエリア基地局にプローブ信号を送信するために、前記第２のモデムを動作させることと、前記プローブ信号は前記第２の通信プロトコルに従い、前記第２の通信プロトコルは前記第１の通信プロトコルとは異なる、
を備える方法。
【請求項２】
前記第１のモデムは、前記第１の周波数帯域を介して前記マクロ基地局と通信するように構成される、請求項１に記載の方法。
【請求項３】
前記第１のモデムが前記マクロ基地局とデータを通信するために使用される間に、前記小カバレージエリア基地局とデータを通信するために前記第２のモデムを動作させることをさらに備える、請求項２に記載の方法。
【請求項４】
前記第１の周波数帯域は、認可周波数帯域であり、
前記第２の周波数帯域は、無認可周波数帯域である、請求項１に記載の方法。
【請求項５】
前記第１の通信プロトコルは、セルラーワイヤレス無線プロトコルである、請求項１に記載の方法。
【請求項６】
ユーザ機器（ＵＥ）デバイスであって、
前記ＵＥデバイスにおいて、第１の通信プロトコルに関連する前記ＵＥデバイス内の第１のモデムと、第２の通信プロトコルに関連する前記ＵＥデバイス内の第２のモデムとを動作させるための手段と、前記第１のモデムはパワーアップモードにあり、前記第２のモデムはパワーダウンモードにある、
前記第１のモデムにおいて、ＵＥデバイス発見信号を第１の周波数帯域を介して送信するための手段と、
前記第１の通信プロトコルに従う発見信号を、前記ＵＥデバイス発見信号を検出した小カバレージエリア基地局から前記第１の周波数帯域を介して、前記第１のモデムにおいて受信するための手段と、前記第１の周波数帯域および前記第１の通信プロトコルは、ユーザデータを通信するためにマクロ基地局によって使用され、第２の周波数帯域および前記第２の通信プロトコルは、ユーザデータを通信するために前記小カバレージエリア基地局によって使用される、
前記発見信号を受信することに応答して、前記ＵＥデバイス内の前記第２のモデムをパワーアップモードに切り替えるための手段と、
前記第２の通信プロトコルに従って前記小カバレージエリア基地局からの信号を求めて前記第２の周波数帯域を走査するために、または前記第２の周波数帯域において前記小カバレージエリア基地局にプローブ信号を送信するために、前記第２のモデムを動作させるための手段と、前記プローブ信号は前記第２の通信プロトコルに従い、前記第２の通信プロトコルは前記第１の通信プロトコルとは異なる、
を備える、ＵＥデバイス。
【請求項７】
前記第１のモデムは、前記第１の周波数帯域を介してマクロ基地局と通信するように構成される、請求項６に記載のＵＥデバイス。
【請求項８】
前記第１のモデムが前記マクロ基地局とデータを通信するために使用される間に、前記小カバレージエリア基地局とデータを通信するために前記第２のモデムを動作させるための手段をさらに備える、請求項７に記載のＵＥデバイス。
【請求項９】
前記第１の周波数帯域は、認可周波数帯域であり、
前記第２の周波数帯域は、無認可周波数帯域である、請求項６に記載のＵＥデバイス。
【請求項１０】
前記第１の通信プロトコルは、セルラーワイヤレス無線プロトコルである、請求項６に記載のＵＥデバイス。
【請求項１１】
小カバレージエリア基地局を動作させる方法であって、
第１の周波数帯域においてＵＥデバイスによって送信されたＵＥデバイス発見信号を検出するために、ユーザデータを通信するためにマクロ基地局によって使用される前記第１の周波数帯域をモニタすることと、
前記モニタすることが前記第１の周波数帯域において前記ＵＥデバイスによって送信された前記ＵＥデバイス発見信号を検出することに応答して、前記小カバレージエリア基地局についての情報を前記ＵＥデバイスに通信することと、
前記小カバレージエリア基地局についての前記情報を通信することに少なくとも部分的に基づいて、第２の周波数帯域上で前記小カバレージエリア基地局と前記ＵＥデバイスとの間の通信リンクを確立することと、ここで、前記第２の周波数帯域は、前記第１の周波数帯域とは異なる、
を備える方法。
【請求項１２】
前記第１の周波数帯域は、ユーザデータを通信するために前記小カバレージエリア基地局によっては使用されない、請求項１１に記載の方法。
【請求項１３】
前記小カバレージエリア基地局についての前記情報は、小カバレージエリア基地局識別情報、および／または
前記小カバレージエリア基地局にアクセスするために使用され得る通信リソースを示す情報、
を含む、請求項１１に記載の方法。
【請求項１４】
前記小カバレージエリア基地局についての情報を前記ＵＥデバイスに通信することは、
前記マクロ基地局に前記情報を前記ＵＥデバイスに送信させるために、前記マクロ基地局に信号を送ることを含む、請求項１１に記載の方法。
【請求項１５】
小カバレージエリア基地局であって、
第１の周波数帯域においてＵＥデバイスによって送信されたＵＥデバイス発見信号を検出するために、ユーザデータを通信するためにマクロ基地局によって使用される前記第１の周波数帯域をモニタするための手段と、
前記モニタすることが前記第１の周波数帯域において前記ＵＥデバイスによって送信された前記ＵＥデバイス発見信号を検出することに応答して、前記小カバレージエリア基地局についての情報を前記ＵＥデバイスに通信するための手段と、
前記小カバレージエリア基地局についての前記情報を通信することに少なくとも部分的に基づいて、第２の周波数帯域上で前記小カバレージエリア基地局と前記ＵＥデバイスとの間の通信リンクを確立するための手段と、ここで、前記第２の周波数帯域は、前記第１の周波数帯域とは異なる、
を備える、小カバレージエリア基地局。
【発明の詳細な説明】
【優先権の主張】
【０００１】
相互参照
本特許出願は、本出願の譲受人に譲渡され、２０１３年３月１４日に出願された「Communications Methods and Apparatus That Facilitate Discovery of Small Coverage Area Base Station」と題する、Ｐａｒｋらによる米国特許出願第１３／８０２，７４２号の優先権を主張する。
【技術分野】
【０００２】
様々な実施形態は、ワイヤレス通信方法および装置に関し、より詳細には、通信システムにおける小カバレージエリア基地局の発見（ディスカバリ）を容易にするワイヤレス通信方法および装置に関する。
【背景技術】
【０００３】
[0003]今日、様々なユーザ機器（ＵＥ）デバイス、たとえば、スマートフォンおよび他のモバイル通信デバイスは、たとえば、ＬＴＥ（ロングタームエボリューション）、ＨＳＰＡ（高速パケットアクセス）、ＷｉＦｉ（登録商標）、ブルートゥースなど、多様な技術をサポートする複数のモデムを装備されている。これらの技術は、一般的に、異なる帯域において動作する。ロングタームエボリューション（ＬＴＥ）自体は、データレートを増加するために複数の帯域（キャリア）における動作をサポートする。ＬＴＥマクロセル基地局通信は、主帯域（primary band）内で動作する一方、ＬＴＥ小カバレージエリア基地局は、マクロセルの主帯域と異なる帯域を使用するために配置され得る。近い将来、ＬＴＥもまた、トラフィックオフロードのためのＬＴＥ−ＷｉＦｉアグリゲーションを有し得る。
【０００４】
[0004]マクロセルラー基地局と、たとえばＬＴＥフェムトセル基地局、ＷｉＦｉアクセスポイント、および／またはブルートゥースＡＰを含む小カバレージエリア基地局とを含む、多様な異なる基地局が配置されるシステムでは、ＵＥデバイスが、マクロセル基地局を発見することができることに加えて、異なる帯域に配置され、および／または異なる技術を使用する、様々な小カバレージエリア基地局を発見することができる場合、トラフィックに対して使用するために最良または最適なインターフェースを決定することが有利である。異なる技術の大部分は、異なる発見メカニズムを有する。一般的に、マクロセル基地局によって使用される技術と異なる技術を使用する特定のタイプの小カバレージエリア基地局を発見するために、ＵＥデバイスは、その技術に対応する特定のモデムをアクティブにする必要があり、そのタイプの小セル基地局を探し続ける必要がある。したがって、ＷｉＦｉアクセスポイントとブルートゥースＡＰの両方を探索するために、ＵＥデバイスは、両方のタイプのモデムをアクティブにし、両方のタイプのモデムを使用して探索する必要があることがある。ＷｉＦｉおよびブルートゥースなどの非同期技術の場合、ＵＥデバイスが限られたバッテリー電力を有し、様々な周波数帯域において動作する小カバレージエリア基地局を走査することがかなりの量のバッテリー電力を消費するとすれば、探索は、ＵＥの電力消費を著しく増加させてバッテリー寿命を損なう。配置されたマクロセルがＬＴＥを使用し、少なくともいくつかの配置された小セル基地局、たとえばフェムトセルもまたＬＴＥを使用する場合、ＬＴＥを使用する小セル基地局は、一般的に、それらのそれぞれの帯域において送信し、ＵＥは、異なる小セル基地局を発見するために異なる帯域に同調する必要がある。小カバレージエリアＬＴＥ基地局を探索する時間の間、ＵＥは、通常、ＵＥが配置されるマクロセル内でそのマクロ基地局、たとえばそのｅＮＢと通信しない。これは、アクティブＵＥに対するスループットのロスをもたらす。
【０００５】
[0005]上記に鑑みて、小カバレージエリア基地局、たとえばフェムトセル基地局、ピコセル基地局、ＷｉＦｉアクセスポイント、ブルートゥースアクセスポイントなどの効率的な発見を容易にし得る方法および／または装置が必要であることを諒解されたい。方法および／または装置が、電力効率が良く、エリア内の小カバレージエリア基地局のセットを発見するための時間を低減し、および／または現在のアプローチにおけるオーバーヘッドシグナリングの量を低減し、したがって、スループットを改善し、および／または小カバレージエリア基地局探索のために費やされるＵＥデバイスのバッテリー放電の量を低減するならば望ましい。
【発明の概要】
【０００６】
[0006]様々な実施形態が、ユーザ機器デバイスと小カバレージエリア基地局との間の通信を容易にする方法および装置に向けられる。マクロセル基地局に対応するマクロセル内に配置される小カバレージエリア基地局は、広範囲の異なるタイプ、たとえばフェムトセル基地局、ピコセル基地局、マイクロセル基地局、ＷｉＦｉアクセスポイント、ブルートゥースアクセスポイントなどを含み得る。異なる小カバレージエリア基地局は、ユーザデータ信号、たとえば音声データ、画像データ、および／またはビデオデータを含むトラフィックデータ信号をＵＥデバイスと通信するときに、異なる通信プロトコルおよび／または異なる周波数通信帯域を使用し得、時々使用する。特定のユーザ機器（ＵＥ）デバイス、たとえば特定のスマートフォンは、たとえば、ＵＥデバイス内に含まれるモデムの特定のセットに応じて、複数の異なる通信プロトコルおよび／または異なる周波数帯域を使用して通信をサポートする。通信システム内の異なるＵＥデバイスは、異なる能力を含み得る。
【０００７】
[0007]効率的な、互換性のある能力（compatible capability）を有するＵＥデバイスによる効率のよい小カバレージエリア基地局の発見、および／または互換性のある能力を有する小カバレージエリア基地局によるＵＥデバイスの発見を容易にするために、ＵＥデバイスおよび小カバレージエリア基地局は、発見情報が通信されるマクロセルによって使用されている通信プロトコルと通信帯域とを利用する。発見情報は、たとえば、識別情報、デバイス能力情報、通信プロトコル情報、通信帯域情報、および／または異なる通信プロトコルまたは異なる通信帯域のうちの少なくとも一方を使用して小カバレージエリア基地局にアクセスするためにＵＥデバイスによって使用される情報を含む。
【０００８】
[0008]したがって、マクロセル内に配置された様々なタイプの小カバレージエリア基地局およびＵＥデバイスは、デバイス能力情報および／または小カバレージエリア基地局とＵＥデバイスとの間のユーザデータシグナリングを含む通信をサポートするために使用される他の制御情報を通信するために、共通の第１の通信プロトコルと共通の第１の周波数帯域とを利用する。小カバレージエリア基地局およびＵＥデバイスは、通信された制御情報を使用して、ユーザデータを再構成し、続いて通信する。
【０００９】
[0009]いくつかの実施形態によれば、ユーザ機器（ＵＥ）デバイスを動作させる例示的な方法は、第１の通信プロトコルに従う発見（ディスカバリ）信号を、小カバレージエリア基地局から第１の周波数帯域を介して、前記ＵＥデバイス内の第１のモデムにおいて受信することと；前記発見信号を受信することに応答して、前記ＵＥデバイス内の第２のモデムに電源投入することと；第２の通信プロトコルに従って前記小カバレージエリア基地局からの信号を求めて第２の周波数帯域を走査するように、または前記第２の周波数帯域において前記小カバレージエリア基地局にプローブ信号を送信するように前記第２のモデムを動作させることと、含み、前記プローブ信号は前記第２の通信プロトコルに従い、前記第２の通信プロトコルは記第１の通信プロトコルと異なる。例示的なユーザ機器（ＵＥ）デバイスは、いくつかの実施形態によれば、第１の通信プロトコルに従う発見信号を、小カバレージエリア基地局から第１の周波数帯域を介して受信するように前記ＵＥデバイス内の第１のモデムを動作させ；前記発見信号を受信することに応答して、前記ＵＥデバイス内の第２のモデムを源投入し；および、第２の通信プロトコルに従って前記小カバレージエリア基地局からの信号を求めて第２の周波数帯域を走査するように、または前記第２の周波数帯域において前記小カバレージエリア基地局にプローブ信号を送信するように前記第２のモデムを動作させることを行うように構成された少なくとも１つのプロセッサを含み、前記プローブ信号は前記第２の通信プロトコルに従い、前記第２の通信プロトコルは前記第１の通信プロトコルと異なる。例示的なＵＥデバイスは、前記少なくとも１つのプロセッサに結合されたメモリをさらに含む。
【００１０】
[0010]いくつかの実施形態によれば、第１の基地局、たとえば小カバレージエリア基地局を動作させる例示的な方法は、前記第１の周波数帯域においてＵＥデバイスによって送信された信号を検出するために第２の基地局によって使用される第１の周波数帯域をモニタすることと、前記モニタすることが、前記第１の周波数帯域においてＵＥデバイスによって送信された信号を検出することに応答して、前記ＵＥデバイスに前記第１の基地局についての情報を通信することとを含む。いくつかの実施形態によれば、例示的な第１の基地局、たとえば小カバレージエリア基地局は、第１の周波数帯域においてＵＥデバイスによって送信された信号を検出するために第２の基地局によって使用される前記第１の周波数帯域をモニタするための手段と、前記モニタすることが、前記第１の周波数帯域においてＵＥデバイスによって送信された信号を検出することに応答して、前記ＵＥデバイスに前記第１の基地局についての情報を通信するための手段を備える。
【００１１】
[0011]上記の概要で様々な実施形態について論じたが、必ずしもすべての実施形態が同じ特徴を含むとは限らず、上記で説明した特徴のいくつかは、いくつかの実施形態では、必要ではないが、望ましいことがあることを諒解されたい。多数の追加の特徴、実施形態および様々な実施形態の利益について、以下の発明を実施するための形態において論じる。
【図面の簡単な説明】
【００１２】
【図１】様々な例示的な実施形態に従って実装される例示的なワイヤレス通信システムを示す図。
【図２】様々な例示的な実施形態による、ユーザ機器（ＵＥ）デバイスを動作させる例示的な方法のフローチャート。
【図３】様々な例示的な実施形態による、例示的なユーザ機器（ＵＥ）デバイスを示す図。
【図４】図３に示された例示的なユーザ機器デバイスにおいて使用され得、時々使用されるモジュールのアセンブリを示す図。
【図５Ａ】様々な例示的な実施形態による、第１の基地局、たとえば小カバレージエリア基地局を動作させる例示的な方法のフローチャートの第１の部分の図。
【図５Ｂ】様々な例示的な実施形態による、第１の基地局、たとえば小カバレージエリア基地局を動作させる例示的な方法のフローチャートの第２の部分の図。
【図６】様々な例示的な実施形態による、例示的な第１の基地局、たとえば小カバレージエリア基地局を示す図。
【図７Ａ】図６の例示的な基地局において使用され得、時々使用されるモジュールのアセンブリの第１の部分を示す図。
【図７Ｂ】図６の例示的な基地局において使用され得、時々使用されるモジュールのアセンブリの第２の部分を示す図。
【図８】様々な実施形態による、例示的な小カバレージエリア基地局が送信した発見信号を示す図。
【図９】様々な実施形態による、例示的なＵＥデバイス発見信号を示す図。
【図１０】様々な実施形態による、小カバレージエリア基地局からマクロ基地局への例示的な要求信号を示す図。
【図１１】例示的な実施形態による、小カバレージエリア基地局、たとえばＷｉＦｉ  ＡＰについての情報を含む、ＵＥデバイスへの例示的な小カバレージエリア基地局情報信号を示す図。
【図１２】例示的な実施形態による、小カバレージエリア基地局、たとえばフェムトＢＳについての情報を含む、ＵＥデバイスへの例示的な小カバレージエリア基地局情報信号を示す図。
【図１３】例示的な実施形態による、小カバレージエリア基地局、たとえばＷｉＦｉアクセスポイントを動作させる一例を示す図。
【図１４】例示的な実施形態による、ＵＥデバイスを動作させる一例を示す図。
【図１５】例示的な実施形態による、いくつかの例示的な周波数帯域といくつかの例示的なエアリンクリソースとを示す図。
【発明を実施するための形態】
【００１３】
[0029]図１は、様々な例示的な実施形態による、例示的な通信システム１００の図である。例示的な通信システム１００は、対応するマクロセルラーカバレージエリア、マクロセル１  １０４を有するマクロ基地局１  １０２、たとえばｅノードＢ  １（ｅＮＢ  １）を含む。例示的な通信システム１００は、各々が対応するカバレージエリアを有する複数の小カバレージエリア基地局（小カバレージエリア基地局（ＢＳ）１  １０６、たとえばフェムトＢＳ  １、小カバレージエリアＢＳ  ２  １０８、たとえばフェムトＢＳ  ２、小カバレージエリアＢＳ  ３  １１０、たとえばピコＢＳ  １、小カバレージエリアＢＳ  ４  １１２、たとえばピコＢＳ  ２、小カバレージエリアＢＳ  ５  １１４、たとえばＷｉＦｉアクセスポイント（ＡＰ）１、小カバレージエリアＢＳ  ６  １１８、たとえばＷｉＦｉ  ＡＰ  ２、小カバレージエリアＢＳ  ７  １１８、たとえばブルートゥースＡＰ  １、小カバレージエリアＢＳ  ８  １２０、たとえばブルートゥースＡＰ  ２、．．．、小カバレージエリアＢＳ  Ｍ  １２２）をさらに含む。いくつかの実施形態では、小カバレージエリアＢＳに対応するカバレージエリアは、小カバレージエリア基地局が配置されるマクロセルのカバレージエリアの５０％以下である。
【００１４】
[0030]例示的な通信システム１００は、ネットワークノード１６０、たとえばモビリティ管理エンティティ（ＭＭＥ）をさらに含む。マクロ基地局１０２、小カバレージエリア基地局（１０４、１０６、１０８、１１０、１１２、１１４、１１６、１１８、１２０、．．．、１２２）、およびネットワークノード１６０は、それぞれ、リンク（１０３、１０５、１０７、１０９、１１１、１１３、１１５、１１７、１１９、１２１、．．．、１２３、１６１）を介して他のノード、バックホールネットワーク、および／またはインターネットに結合される。様々な実施形態では、システム１００は、追加のマクロ基地局と、追加の基地局のマクロセル内に配置された追加の小カバレージエリア基地局とをさらに含む。追加のマクロ基地局および追加の小カバレージエリア基地局はまた、他のネットワークノード、バックホールネットワーク、および／またはインターネットに結合される。
【００１５】
[0031]例示的なシステム１００は、複数のユーザ機器（ＵＥ）デバイス、たとえばモバイルワイヤレス端末（ＵＥデバイス１  １２４、ＵＥデバイス２  １２６、ＵＥデバイス３  １２８、ＵＥデバイス４  １３０、ＵＥデバイス５  １３２、．．．、ＵＥデバイスｎ  １３４）を含む。ＵＥデバイス（１２４、１２６、１２８、１３０２、１３２、．．．、１３４）の各々は、より多くのモデムのうちの２つ、たとえば第１の通信プロトコルを使用してマクロ基地局１０２と通信するための１つのモデムと、異なる通信プロトコルを使用して小カバレージエリア基地局と通信するための１つまたは複数の追加のモデムとを含む。いくつかの実施形態では、異なるＵＥデバイスは、異なる能力を含み、たとえば、通信プロトコルの異なるセットをサポートし、および／または異なるセットの周波数帯域において通信をサポートする。
【００１６】
[0032]様々な実施形態では、小カバレージエリア基地局およびＵＥデバイスは、別の通信プロトコルについての情報を通信するためにマクロ基地局によって使用される第１の周波数帯域および第１の通信プロトコル、および／または小カバレージエリア基地局および／またはＵＥデバイスによって使用される別の通信帯域を使用する。いくつかのそのような実施形態では、第１の周波数帯域および第１の通信プロトコルは、発見情報を通信するためにＵＥデバイスおよび小カバレージエリア基地局によって使用されるが、ＵＥデバイスと小カバレージエリア基地局との間で通信されるユーザデータシグナリング、たとえばトラフィックデータシグナリングは、第１の周波数帯域と異なる通信帯域および第１の通信プロトコルと異なる通信プロトコルのうちの少なくとも１つを使用する。いくつかの実施形態では、第１の周波数帯域および第１の通信プロトコルは、発見情報を通信するためにＵＥデバイスおよび小カバレージエリア基地局によって使用されるが、ＵＥデバイスと小カバレージエリア基地局との間で通信されるユーザデータシグナリング、たとえばトラフィックデータシグナリングは、第１の周波数帯域と異なる通信帯域、第１の通信プロトコルと異なる通信プロトコル、およびマクロ基地局によって使用される通信リソースと異なる通信リソースのうちの少なくとも１つを使用する。
【００１７】
[0033]各小カバレージエリア基地局は、たとえば、フェムトセル基地局、ピコセル基地局、マイクロセル基地局、ＷｉＦｉ  ＡＰ、またはブルートゥースＡＰのうちの１つであってよい。マクロセル基地局は、そのカバレージエリア、たとえばそのマクロセルの中の少なくともいくつかのＵＥに対する接続（アタッチ）ポイントとして働く。マクロ基地局１２４は、ｅノードＢとして実装されてよく、いくつかの実施形態ではｅノードＢとして実装される。フェムトセル基地局は、技術に特化しない用語であることを意図されており、広範囲に異なるタイプのフェムトセル基地局のいずれかを指すために使用され得る。小カバレージエリア基地局のカバレージエリアは、通常、非常に小さく、たとえば、マクロセル基地局のカバレージエリアの５０％未満である。したがって、図１に示すように、複数の小カバレージエリア基地局が、単一のマクロ基地局のカバレージエリア内に存在し得る。本出願におけるフェムトセル基地局は、技術固有の用語を使用して明確に識別されない限り、特定の技術に限定されることを意図されていない。フェムトセル基地局は、ＬＴＥにおいてＨｅＮＢ（ホームｅノードＢ）セルとして実装され得る一方、３ＧＰＰ技術において、フェムトセル基地局はホームノードＢ（ＨＮＢ）である。必ずしもすべてであるとは限らないが、いくつかの実施形態では、フェムトセル基地局は、フェムトセル基地局から１０メートル程度の範囲（半径）を有する一方、ピコセル基地局は、２００メートル以下の範囲を有する。いくつかの実施形態では、マイクロセル基地局は、約１２メートルの範囲を有する。これらの範囲は、３５キロメートル（約２２マイル）に及ぶ範囲を有し得、時々有するマクロセル基地局の一般的な範囲よりかなり小さい。そのような大きい範囲がマクロ基地局に対して可能であるが、より小さい範囲が、しばしば、マクロ基地局に対して使用される。
【００１８】
[0034]図２は、様々な実施形態による、ユーザ機器（ＵＥ）デバイスを動作させる例示的な方法のフローチャート２００である。動作はステップ２０２において開始し、ＵＥデバイスが電源投入され、初期化される（initialized）。動作はステップ２０２からステップ２０４に進む。
【００１９】
[0035]ステップ２０４において、ＵＥデバイスは、第１のモデムを使用して小カバレージエリア基地局からの発見信号をモニタする。ステップ２０４は、ＵＥデバイスが、第１の通信プロトコルに従う発見信号を、小カバレージエリア基地局から第１の周波数帯域を介して、ＵＥデバイス内の第１のモデムにおいて受信するステップ２０６を含む。いくつかの実施形態では、発見信号は、小カバレージエリア基地局によって送信される。いくつかの実施形態では、発見信号は、小カバレージエリア基地局によって生成され、マクロ基地局を介してＵＥデバイスに通信される。
【００２０】
[0036]動作はステップ２０６からステップ２０８に進む。ステップ２０８において、ＵＥデバイスは、第２の通信プロトコルと、発見信号を送信した小カバレージエリア基地局によって使用される第２の通信帯域とを、受信された発見信号に基づいて識別する。いくつかの実施形態では、発見信号は、第２の通信プロトコルを識別する情報と、第２の通信帯域を識別する情報とを直接通信する。いくつかの実施形態では、ＵＥデバイスは、小カバレージエリア基地局識別子を復元するために、受信された発見信号を復号し、次いで、ＵＥデバイスは、復元された識別子とＵＥデバイスのメモリ内のルックアップテーブル内の記憶されている情報と比較して、小カバレージエリア基地局に対応する第２の通信プロトコルと第２の通信帯域とを識別する。いくつかの実施形態では、ＵＥデバイスは、識別情報を復元するために受信された発見信号を復号し、次いで、ＵＥデバイスは復元された情報をマクロ基地局に通信し、マクロ基地局は、それに応答して、第２の通信プロトコルと第２の周波数帯域とを通信する情報をＵＥデバイスに送信する。いくつかのそのような実施形態では、マクロ基地局は、ＵＥデバイスとＭＭＥとの間の通信のための媒介として働く。動作はステップ２０８からステップ２１０に進む。
【００２１】
[0037]ステップ２１０において、ＵＥは、ＵＥデバイスが、識別された第２の通信プロトコルを使用して識別された第２の通信帯域における通信をサポートするかどうか、およびＵＥが、受信された発見信号を送信した小カバレージエリア基地局に接続（アタッチ）することを望むかどうかを決定する。ＵＥデバイスが、識別された第２の通信プロトコルを使用した識別された第２の通信帯域における通信をサポートしないか、またはＵＥデバイスが、小カバレージエリア基地局に接続することを望まない場合、動作は、他の小カバレージエリア基地局によって送信されている発見信号を検出することを試みる追加のモニタリングのために、ステップ２１０からステップ２０４に進む。しかしながら、ＵＥデバイスが、識別された第２の通信プロトコルを使用して識別された第２の通信帯域における通信をサポートし、ＵＥデバイスが、小カバレージエリア基地局に接続することを望む場合、動作は、ステップ２１０からステップ２１２に進む。
【００２２】
[0038]ステップ２１２において、ＵＥデバイスは、発見信号を受信することに応答して前記ＵＥデバイス内の第２のモデムに電源投入する。動作はステップ２１２からステップ２１４に進む。ステップ２１４において、ＵＥデバイスは、前記第２の通信プロトコルに従って小カバレージエリア基地局からの信号求めて第２の周波数帯域を走査するか、または前記第２の周波数帯域において前記小カバレージエリア基地局にプローブ信号を送信するために第２のモデムを動作させ、前記プローブ信号は前記第２の通信プロトコルに従い、前記第２の通信プロトコルは前記第１の通信プロトコルと異なる。いくつかの実施形態では、ＵＥデバイスが小カバレージエリア基地局に接続されない場合、小カバレージエリア基地局は、たとえば、電力を保存するため、および干渉を低減するために、第２の周波数帯域内に送信しない。いくつかのそのような実施形態では、ＵＥデバイスから第２の周波数帯域内へのプローブ信号が、小カバレージエリア基地局を動作のアクティブ状態にウェイクアップさせる。いくつかの実施形態では、ＵＥデバイスによって送信されたプローブ信号は、送信された、たとえば、ＵＥと小カバレージエリア基地局の両方に知られているエアリンクリソースのセット上で送信されたアクセス要求信号である。いくつかの実施形態では、小カバレージエリア基地局との通信のために、たとえば、ダウンリンクおよびアップリンクのシグナリングのために、ＵＥデバイスによって使用されるべき特定のエアリンクリソースが、第１の周波数帯域においてＵＥデバイスに以前に通信されており、たとえば、マクロセル基地局からまたは小カバレージエリア基地局から、ステップ２１２の前に第１のモデムを介して受信されている。動作はステップ２１４からステップ２１６に進む。
【００２３】
[0039]ステップ２１６において、ＵＥデバイスは、第２の通信プロトコルを使用してデータを前記小カバレージエリア基地局と通信するために、第２のモデムを動作させる。ステップ２１６は、ＵＥデバイスが、第１のモデムがデータをマクロ基地局と通信するために使用される間に、データを小カバレージエリア基地局と通信するために第２のモデムを動作させるステップ２１８を含み得、時々含む。たとえば、一実施形態では、ＵＥデバイスの第１のモデム、たとえばＬＴＥモデムは、第１の周波数帯域においてＬＴＥプロトコルを使用してデータをマクロセル基地局と通信中である一方、ＵＥデバイスの第２のモデム、たとえばＷｉＦｉモデムは、第２の通信帯域において８０２．１１プロトコルを使用してデータをＷｉＦｉアクセスポイントと通信中であり、第１および第２の通信帯域は、異なる非重複通信帯域である。いくつかの実施形態では、ＵＥデバイスは、第１のモデムが複数の小カバレージエリア基地局によって生成された発見信号を受信するために使用される間に、データを小カバレージエリア基地局と通信するために第２のモデムを動作させ得、時々動作させる。
【００２４】
[0040]動作はステップ２１６からステップ２１８に進む。ステップ２１８において、ＵＥデバイスは、小カバレージエリア基地局との通信が終了したか否かを決定する。ＵＥデバイスと小カバレージエリア基地局との間の通信の終了は、ＵＥデバイスが小カバレージエリア基地局のカバレージエリアの外に移動したことと、たとえば、通信するデータの不足のため、バッテリー電力保存のため、および／またはチャネル条件悪化のために通信を終了することをＵＥデバイスが決定することと、たとえば、通信するデータの不足のため、ローディング条件のため、および／またはチャネル条件悪化のために条件を終了することを小カバレージエリア基地局が決定することとを含む、いくつかの理由のうちの任意の１つによることがある。
【００２５】
[0041]ステップ２２０において、ＵＥデバイスが、小カバレージエリアとの通信が依然として継続していると決定する場合、動作はステップ２２０からステップ２１６に進み、第２のモデムは、第２の通信プロトコルを使用して追加のデータを小カバレージエリア基地局と通信する。しかしながら、ステップ２２０において、ＵＥデバイスが、小カバレージエリアとの通信が終了したと決定する場合、動作はステップ２２０からステップ２２２に進み、ＵＥデバイスは第２のモデムをパワーダウンする。動作はステップ２２２からステップ２０４に進み、ＵＥデバイスは、第１のモデムを使用して小カバレージエリアからの発見信号をモニタする。
【００２６】
[0042]様々な実施形態では、ステップ２０２における初期化（initialization）の一部として、ＵＥデバイスは第１のモデムを、たとえば完全にまたは部分的にパワーアップし、第２のモデムがパワーダウンのままであるように制御する。いくつかの実施形態では、ステップ２０２において初期化の一部として、ＵＥデバイスは、第１のモデムの受信機部をパワーアップし、第１のモデムの送信機部と、第２のモデムの受信機部と、第２のモデムの送信機部とが、パワーダウンのままであるように制御する。いくつかのそのような実施形態では、第１のモデムの送信機部は、ＵＥデバイスがマクロ基地局を接続（アタッチ）ポイントとして使用するために探索するときにパワーオンされる。
【００２７】
[0043]いくつかの実施形態では、第１のモデムは、第１の周波数帯域を介してマクロ基地局と通信するように構成される。いくつかの実施形態では、第１の周波数帯域は認可周波数帯域であり、第２の周波数帯域は無認可周波数帯域である。いくつかの実施形態では、第１の通信プロトコルは、セルラーワイヤレス無線プロトコル、たとえばＬＴＥプロトコルである。
【００２８】
[0044]いくつかの実施形態では、第１のモデムはＬＴＥモデムであり、第２のモデムは８０２．１１モデムである。いくつかの他の実施形態では、第１のモデムはＬＴＥモデムであり、第２のモデムはブルートゥースモデムである。いくつかの実施形態では、第１のモデムはＬＴＥモデムであり、第１の通信プロトコルは、ピアツーピア発見をサポートするＬＴＥプロトコルであり、小カバレージエリア基地局によって第１の通信帯域に送信される発見信号はＬＴＥ直接発見信号である。
【００２９】
[0045]様々な実施形態では、第１の通信プロトコルは時間同期プロトコルである。
【００３０】
[0046]いくつかの実施形態では、例示的な方法は、ＵＥデバイスが、第１の通信プロトコルに従って第１の周波数帯域において第１のモデムを使用して第２の発見信号を送信するステップをさらに含む。いくつかのそのような実施形態では、第２の発見信号は、ＵＥデバイスの識別情報と、第２のモデムの能力と、ＵＥデバイスのＱｏＳ要件とを含む。
【００３１】
[0047]図３は、様々な実施形態による、例示的なユーザ機器（ＵＥ）デバイス３００を示す。例示的なＵＥデバイス３００は、図１に示すＵＥデバイスのうちの任意の１つとして使用され得る。例示的なＵＥデバイス３００は、フローチャート２００による方法を実装し得、時々実装する。
【００３２】
[0048]ＵＥデバイス２００は、バス３０９を介して互いに結合されたプロセッサ３０２とメモリ３０４とを含み、様々な要素（３０２、３０４）はバス３０９を介してデータおよび情報を交換し得る。ＵＥデバイス３００は、図示のようにプロセッサ３０２に結合され得る入力／出力モジュール３０６をさらに含む。
【００３３】
[0049]ただし、いくつかの実施形態では、入力／出力モジュール３０６は、プロセッサ３０２の内部に配置される。いくつかの実施形態では、入力／出力モジュール３０６は、異なる技術および／または異なる周波数帯域（モデム１  ３１０、モデム２  ３１６、．．．、モデムＮ  ３１８）をサポートする複数のモデムを含む。モデム１  ３１０、たとえばＬＴＥモデムは、ワイヤレス通信受信アンテナ３２４に結合されたワイヤレス受信機モジュール１  ３２０と、ワイヤレス通信送信アンテナ３２６に結合されたワイヤレス送信機モジュール１  ３２２とを含む。モデム１  ３１０は、第１の通信プロトコル、たとえばセルラーワイヤレス無線プロトコルをサポートする。モデム１  ３１０のワイヤレス受信機モジュール１  ３２０は、第１の周波数帯域においてワイヤレス通信リンクを介して入力を受信するように構成され、ワイヤレス送信機モジュール１  ９２２は、第１の周波数帯域においてワイヤレス通信リンクを介して出力を送信するように構成される。いくつかの実施形態では、第１の周波数帯域は、認可周波数帯域である。いくつかの実施形態では、第１の周波数帯域は、ＬＴＥ発見帯域である。いくつかの実施形態では、同じアンテナが、入力と出力の両方のワイヤレス通信シグナリングに使用される。
【００３４】
[0050]モデム２  ３１６、たとえばＷｉＦｉモデムは、ワイヤレス通信受信アンテナ３３０に結合されたワイヤレス受信機モジュール２  ３２８と、ワイヤレス通信送信アンテナ３３４に結合されたワイヤレス送信機モジュール２  ３３２とを含む。様々な実施形態では、モデム２  ３１６は、特定の通信プロトコル、たとえば８０２．１１通信プロトコルをサポートする。いくつかの実施形態では、モデム２  ３１６は、複数の関連する通信プロトコル、たとえば８０２．１１の異なる変化の通信プロトコルのセットをサポートし、モデム２  ３１６は、特定の選択された通信プロトコルにおいて通信するように構成される。モデム２  ３１６のワイヤレス受信機モジュール２  ３２８は、特定の周波数帯域においてワイヤレス通信リンクを介して入力を受信するように構成され、ワイヤレス送信機モジュール２  ３３２は、特定の周波数帯域においてワイヤレス通信リンクを介して出力を送信するように構成される。いくつかの実施形態では、特定の周波数帯域は、無認可周波数帯域である。いくつかの実施形態では、同じアンテナが、入力と出力の両方のワイヤレス通信シグナリングに使用される。
【００３５】
[0051]モデムＮ  ３１８は、ワイヤレス通信受信アンテナ３３８に結合されたワイヤレス受信機モジュールＮ  ３３６と、ワイヤレス通信送信アンテナ３４２に結合されたワイヤレス送信機モジュールＮ  ３４０とを含む。様々な実施形態では、モデムＮ  ３１８は、Ｎ番目の通信プロトコル、たとえばブルートゥース通信プロトコルをサポートする。モデムＮ  ３１８のワイヤレス受信機モジュールＮ  ３３６は、特定の周波数帯域においてワイヤレス通信リンクを介して入力を受信するように構成され、ワイヤレス送信機モジュールＮ  ３４０は、特定の周波数帯域においてワイヤレス通信リンクを介して出力を送信するように構成される。いくつかの実施形態では、特定の周波数帯域は、無認可周波数帯域である。いくつかの実施形態では、同じアンテナが、入力と出力の両方のワイヤレス通信シグナリングに使用される。
【００３６】
[0052]いくつかの実施形態では、同じアンテナが、複数のモデムによって使用される。いくつかの実施形態では、同じアンテナまたはアンテナのペアが、複数のモデムによって、たとえばモデム２  ３１６およびモデム３１８によって共有される。いくつかの実施形態では、同じアンテナまたはアンテナのペアが、複数のモデムの間で切り替えられる、たとえば、パワーオンされる特定のモデム（３１６、．．．、３１８）に切り替えられる。
【００３７】
[0053]様々な実施形態では、フローチャート２００において言及される第１のモデムはモデム１  ３１４であり、フローチャート２００において言及される第２のモデムはモデム（モデム２  ３１６、．．．、モデムＮ  ３１８）のうちの１つの選択されたモデムであり、フローチャート２００において言及される第２の周波数帯域は選択されたモデムに対応する特定の周波数帯域である。様々な実施形態では、第１のモデム３１４は、マクロセル周波数帯域である第１の周波数帯域において動作するように構成され得、時々構成され、その他のモデム（モデム２  ３１６、．．．、モデムＮ  ３１８）のうちの１つは、異なる周波数帯域、たとえば、特定の小カバレージエリア基地局に対応する異なる非重複周波数帯域において動作するように構成され得、時々構成される。いくつかの実施形態では、モデム（モデム１  ３１４、モデム２、．．．、モデムＮ）の各々は、異なる周波数帯域、たとえば異なる非重複周波数帯域に対応する。いくつかの実施形態では、モデム１  ３１４は、異なる時間に異なる周波数帯域において、たとえば、ある時間の間たとえば発見の間にＬＴＥマクロセル帯域において、ならびに他の時間の間たとえばＬＴＥフェムトセル基地局と通信している間およびユーザデータ信号を通信している間にＬＴＥフェムトセル帯域において、動作するように構成され得、時々構成される。
【００３８】
[0054]いくつかの実施形態では、入力／出力モジュール３０６は、ワイヤードリンクおよび／または光リンクを介して入力を受信するためのワイヤード受信機モジュールおよび／または光受信機モジュール３１２と、ワイヤードリンクおよび／または光リンクを介して出力信号を送信するためのワイヤード送信機モジュールおよび／または光送信機モジュール３１４とをさらに含む。メモリ３０４は、ルーチン３１１とデータ／情報３１３とを含む。
【００３９】
[0055]いくつかの実施形態では、プロセッサ３０２は、第１の通信プロトコルに従う発見信号を、小カバレージエリア基地局から第１の周波数帯域を介して受信するために第１のモデムを動作させることと、前記発見信号を受信することに応答して、前記ＵＥデバイス内の第２のモデムに電源投入することと、第２の通信プロトコルに従って前記小カバレージエリア基地局からの信号を求めて第２の周波数帯域を走査するために、または前記第２の周波数帯域において前記小カバレージエリア基地局にプローブ信号を送信するために前記第２のモデムを動作させることと、を行うように構成され、前記プローブ信号は前記第２の通信プロトコルに従い、前記第２の通信プロトコルは前記第１の通信プロトコルと異なる。
【００４０】
[0056]例示的な一実施形態では、第１のモデムはＬＴＥモデムであり、小カバレージエリア基地局はＷｉＦｉアクセスポイントまたはブルートゥースアクセスポイントであり、第１の通信プロトコルはＬＴＥプロトコル、たとえばピアツーピア発見をサポートするＬＴＥプロトコルであり、発見信号はＬＴＥ直接発見信号であり、第２のモデムは８０２．１１モデムまたはブルートゥースモデムのうちの１つである。
【００４１】
[0057]いくつかの実施形態では、前記第１のモデムは、第１の周波数帯域を介してマクロ基地局と通信するように構成される。いくつかのそのような実施形態では、プロセッサ３０２は、前記第１のモデムがデータを前記マクロ基地局と通信するために使用される間に、データを前記小カバレージエリア基地局と通信するために第２のモデムを動作させるようにさらに構成される。いくつかの実施形態では、第１の周波数帯域は認可周波数帯域であり、第２の周波数帯域は無認可周波数帯域である。いくつかの実施形態では、第１のプロトコルは、セルラーワイヤレス無線プロトコルである。
【００４２】
[0058]いくつかの実施形態では、プロセッサ３０２は、第１の通信プロトコルに従って第１の周波数帯域において第１のモデムを使用して第２の発見信号を送信するように構成される。いくつかのそのような実施形態では、第２の発見信号は、前記ＵＥデバイスの識別情報と、前記第２のモデムの能力情報と、前記ＵＥデバイスのＱｏＳ要件とを含む。
【００４３】
[0059]図４は、図３に示すＵＥデバイス３００中で使用され得、いくつかの実施形態では、ＵＥデバイス３００中で使用されるモジュールのアセンブリ４００である。モジュールのアセンブリ４００は、たとえば、個別回路として、図３のＵＥデバイス３００のプロセッサ３０２内にハードウェアで実装され得る。アセンブリ４００内のモジュールは、たとえば、個別回路として、プロセッサ３０２内にハードウェアにおいて全て実装され得、いくつかの実施形態では完全に実装される。他の実施形態では、モジュールのいくつかは、たとえば、プロセッサ３０２内に回路として実装され、他のモジュールは、たとえば、プロセッサの外部の、プロセッサと結合された回路として実装される。プロセッサ上のモジュールおよび／またはプロセッサの外部にあるいくつかのモジュールの集積化のレベルは、設計の選択の１つであり得ることは諒解されよう。必ずしもすべてであるとは限らないいくつかの実施形態では、いくつかのモジュールは、プロセッサ３０２内に実装され、その他のモジュールは、プロセッサ内に、および／またはプロセッサ３０２の外部に実装される。
【００４４】
[0060]代替として、回路として実装されるのではなく、モジュールのすべてまたはいくつかのは、ソフトウェアとして実装され、ＵＥデバイス３００のメモリ３０４に記憶されてよく、モジュールは、モジュールがプロセッサ、たとえばプロセッサ３０２によって実行されるときに、モジュールに対応する機能を実施するようにＵＥデバイス３００の動作を制御する。いくつかのそのような実施形態では、モジュールのアセンブリ４００は、図３のＵＥデバイス３００のメモリ３０４のルーチン３１１中に含まれる。さらに他の実施形態では、様々なモジュールは、ハードウェアとソフトウェアの組合せとして、たとえばプロセッサ３０２に入力を与える、プロセッサの外部のセンサ回路または別の回路とともに実装され、プロセッサ３０２は、その場合、ソフトウェア制御の下でモジュールの機能の一部を実行するように動作する。
【００４５】
[0061]図３では、実施形態はシングルプロセッサ、たとえば、コンピュータとして示されているが、プロセッサ３０２は、１つまたは複数のプロセッサ、たとえば、コンピュータとして実装され得ることを諒解されたい。
【００４６】
[0062]ソフトウェアで実装されるとき、それらのモジュールはコードを含み、そのコードは、プロセッサ３０２によって実行されたとき、そのプロセッサ３０２を、そのモジュールに対応する機能を実装するように構成する。モジュールのアセンブリ４００がメモリ３０４に記憶される実施形態では、メモリ３０４は、少なくとも１つのコンピュータ、たとえば、プロセッサ３０２に、モジュールが対応する機能を実装することを行わせるためのコード、たとえば、モジュールごとの個別コードを備えるコンピュータ可読媒体を備えるコンピュータプログラム製品である。
【００４７】
[0063]完全にハードウェアベースのまたは完全にソフトウェアベースのモジュールが使用され得る。ただし、機能を実装するために、たとえば、ソフトウェアとハードウェア、たとえば回路実装型モジュールの任意の組合せが使用され得ることを諒解されたい。諒解されるべきであるように、図４に示されたモジュールは、ＵＥデバイス３００、またはプロセッサ３０２などのＵＥデバイス３００中の要素を、図２の方法フローチャート２００に示された対応するステップの機能を実行するように制御および／または構成する。
【００４８】
[0064]モジュールのアセンブリ４００は、図２に示された方法の各ステップに対応するモジュールを含む。図２に示された対応するステップを実行するようにプロセッサ３０２を実行または制御する図４中のモジュールは、２で始まる番号の代わりに４で始まる番号で識別される。たとえば、モジュール４０４はステップ２０４に対応し、ステップ２０４に関して説明した動作を実行することを担当する。
【００４９】
[0065]モジュールのアセンブリ４００は、ＵＥデバイスを初期化するように構成されたモジュール４０２と、第１のモデムを使用して小カバレージエリア基地局からの発見信号をモニタするように構成されたモジュール４０４とを含む。モジュール４０４は、第１の通信プロトコルに従う発見信号を、小カバレージエリア基地局から第１の周波数帯域を介して、ＵＥデバイス内の第１のモデムにおいて受信するように構成されたモジュール４０６を含む。
【００５０】
[0066]モジュールのアセンブリ４００は、発見信号を送信した小カバレージエリア基地局によって使用される第２の通信プロトコルと第２の通信帯域とを、受信された発見信号に基づいて識別するように構成されたモジュール４０８と、ＵＥデバイスが、識別された第２の通信プロトコルを使用して識別された第２の通信帯域における通信をサポートするかどうか、およびＵＥデバイスが、小カバレージエリア基地局と接続することを望むかどうかを決定するように構成されたモジュール４１０とをさらに含む。モジュールのアセンブリ４００は、前記発見信号を受信することに応答して前記ＵＥデバイス内の第２のモデムに電源投入するように構成されたモジュール４１２と、第２の通信プロトコルに従って前記第２の周波数帯域において前記小カバレージエリア基地局からの信号を求めて第２の周波数帯域を走査するために、または前記第２の通信プロトコルに従って前記小カバレージエリア基地局にプローブ信号を送信するために第２のモデムを動作させるように構成されたモジュール４１４とをさらに含み、前記第２の通信プロトコルは前記第１の通信プロトコルと異なる。モジュールのアセンブリ４００は、第２の通信プロトコルを使用してデータを前記第２の小カバレージエリア基地局と通信するために、第２のモデムを動作させるように構成されたモジュール４１６をさらに含む。モジュール４１６は、第１のモデムがデータをマクロ基地局と通信するために使用される間に、データを小カバレージエリア基地局と通信するために第２のモデムを動作させるように構成されたモジュール４１８を含む。
【００５１】
[0067]モジュールのアセンブリ４００は、小カバレージエリア基地局との通信が終了したかどうかを決定するように構成されたモジュール４２０と、小カバレージエリア基地局との通信が終了したとの決定に応答して第２のモデムをパワーダウンするように構成されたモジュール４２２とをさらに含む。
【００５２】
[0068]いくつかの実施形態では、モジュールのアセンブリ４００は、第１の通信プロトコルに従って第１の周波数帯域において第１のモデムを使用して第２の発見信号を送信するように構成されたモジュール４２４をさらに含む。いくつかのそのような実施形態では、第２の発見信号は、ＵＥデバイスの識別情報と、第２のモデムの能力と、ＵＥデバイスのＱｏＳ要件とを含む。
【００５３】
[0069]いくつかの実施形態では、第１のモデムは、第１の周波数帯域を介してマクロ基地局と通信するように構成される。いくつかの実施形態では、前記第１の周波数帯域は認可周波数帯域であり、前記第２の周波数帯域は無認可周波数帯域である。様々な実施形態では、第１のプロトコルは、セルラーワイヤレス無線プロトコルである。様々な実施形態では、第１の通信プロトコルは時間同期プロトコルである。
【００５４】
[0070]図５Ａと図５Ｂの組合せからなる図５は、様々な実施形態による、第１のベースを動作させる例示的な方法のフローチャート５００である。様々な実施形態では、第１の基地局は、小カバレージエリア基地局である。第１の基地局は、たとえば、フェムト基地局、ピコ基地局、マイクロ基地局、ＷｉＦｉアクセスポイント、およびブルートゥースアクセスポイントのうちの１つである。動作は、第１の基地局、たとえば小カバレージエリア基地局がパワーオンされ、初期化されるステップ５０２において開始する。様々な実施形態では、初期化の一部として、第１の基地局は、受信機モジュール、たとえば第１の基地局の第１のモデム内の受信機モジュール、をパワーオンする。いくつかのそのような実施形態では、初期化の一部として、第１の基地局は、送信機モジュール、たとえば第１の基地局内の第１のモデム内の送信機モジュールがパワーオフされるように制御する。いくつかの実施形態では、初期化の一部として、第１の基地局は、第１の基地局が低電力動作モードに置かれるように制御する。動作はステップ５０２からステップ５０４に進む。ステップ５０４において、第１の基地局は、第１の周波数帯域においてＵＥデバイスによって送信された信号を検出するために、第２の基地局によって使用される第１の周波数帯域をモニタする。ＵＥデバイスによって送信された信号は、たとえば、ＵＥデバイスの識別情報を含む発見信号である。いくつかの実施形態では、第２の基地局はマクロセル基地局であり、そのセル内に第１の基地局が配置される。いくつかの実施形態では、第１の周波数帯域は、第２の基地局、たとえばマクロ基地局によって使用される周波数帯域であるが、その周波数帯域は、ユーザデータ、たとえばトラフィックデータ信号を通信するために第１の基地局によって使用されない。ステップ５０４は継続的に実行される。いくつかの実施形態では、ステップ５０４のモニタリングは、第１の基地局が、第１の基地局内の送信機モジュール、たとえば第１のモデム内の送信機モジュールがパワーオフされるように制御する、低電力動作モードの間に実行される。
【００５５】
[0071]ステップ５０４は、第１の基地局が、第１の周波数帯域においてＵＥデバイスによって送信された信号を検出するステップ５０６を含み得、時々含む。いくつかの実施形態では、第１の周波数帯域は、マクロ周波数帯域である。いくつかのそのような実施形態では、第１の周波数帯域は、マクロアップリンク周波数帯域である。
【００５６】
[0072]いくつかの実施形態では、動作はステップ５０６からステップ５０８に進む。他の実施形態では、動作はステップ５０６からステップ５１０に進む。
【００５７】
[0073]ステップ５０８に戻ると、ステップ５０８において、第１の基地局は、第１の周波数帯域においてＵＥデバイスによって送信された信号を検出することに応答して、第１の基地局内の送信機モジュールがパワーオフされる低電力動作モードから受信機モジュールと送信機モジュールの両方がパワーオンされる高電力動作モードに切り替える。動作はステップ５０８からステップ５１０に進む。
【００５８】
[0074]ステップ５１０において、第１の基地局は、第１の周波数帯域においてＵＥデバイスによって送信された信号を検出することに応答して、第１の基地局についての情報をＵＥデバイスに通信する。いくつかの実施形態では、第１の基地局についての情報は、第１の基地局識別情報を含む。いくつかの実施形態では、第１の基地局についての情報は、ユーザデータ、たとえばトラフィックデータを含む情報を通信するために第１の基地局によって使用される通信プロトコルを識別する情報を含む。いくつかの実施形態では、第１の基地局についての情報は、ユーザデータ、たとえばトラフィックデータを含む情報を通信するために第１の基地局によって使用される周波数帯域を識別する情報を含む。いくつかの実施形態では、第１の基地局についての情報は、第１の基地局にアクセスするために使用され得る通信リソース、たとえば周波数および／またはタイムスロットを示す情報を含む。いくつかの実施形態では、第１の基地局についての情報は、暗号キーなど、認可および認証についての情報を含む。いくつかの実施形態では、第１の基地局についての情報は、第２の周波数帯域および第２の通信プロトコルの情報を含む。いくつかのそのような実施形態では、第２の周波数帯域は、ユーザデータを送信または受信するために第１の基地局によって使用される。様々な実施形態では、ステップ５１０は、ステップ５１２およびステップ５１４のうちの１つを含む。
【００５９】
[0075]ステップ５１２において、第１の基地局は、第１の基地局についての情報をＵＥデバイスに送信するように第２の基地局に要求する信号を前記第２の基地局に送る。したがって、いくつかの実施形態では、第１の基地局についての情報は、第１の基地局からの要求に応答して、第２の基地局、たとえばマクロセル基地局を介してＵＥデバイスに通信される。いくつかの実施形態では、第２の基地局への信号は、前記第２の基地局、たとえばマクロセル基地局からＵＥデバイスにユニキャストメッセージで送信されるべき、前記ＵＥデバイスに対応する識別子を含む情報を含む。ステップ５１４において、第１の基地局は、ユーザデータを送信または受信するために第１の基地局によって使用されない周波数帯域において、第１の基地局についての情報をＵＥデバイスに送信する。いくつかの実施形態では、ユーザデータを送信または受信するために第１の基地局によって使用されない周波数帯域は、第２の基地局によって使用されるダウンリンク周波数帯域、たとえばマクロセルダウンリンク周波数帯域である。したがって、いくつかの実施形態では、第１の基地局、たとえば小カバレージエリア基地局は、第１の基地局についての情報、たとえば、ＵＥデバイスがそれ自体を構成し得るような情報を通信するために、および第１の基地局がユーザデータ、たとえばトラフィックデータを通信するために使用する周波数帯域および／または特定の技術のモデムを使用して第１の基地局と通信するために、マクロセルダウンリンク周波数帯域を使用する。いくつかの他の実施形態では、第１の周波数帯域は、第２の基地局によって使用されるアップリンク周波数帯域である。
【００６０】
[0076]いくつかの実施形態では、動作は、ステップ５１０から接続ノードＡ  ５１６を介してステップ５２０に進む。いくつかの他の実施形態では、動作は、ステップ５１０から接続ノードＢ  ５１８を介してステップ５３２に進む。
【００６１】
[0077]いくつかの実施形態、たとえば、第１の基地局がマクロ基地局と同じ技術タイプのモデムを使用する小カバレージエリア基地局であるいくつかの実施形態では、例示的な方法は、ステップ５２０、５２２、５２４、５２６、５２８および５３０を含む。たとえば、第１の基地局はＬＴＥフェムト基地局であり、マクロセル内に第１の基地局が配置されるマクロ基地局はＬＴＥマクロ基地局であり、フェムトセルおよびマクロセルは、たとえば、ＵＥデバイスとのトラフィックシグナリングに関して異なる周波数帯域を使用する。
【００６２】
[0078]いくつかの実施形態、たとえば、第１の基地局が２つの異なる技術タイプのモデムを含む小カバレージエリア基地局であるいくつかの実施形態では、例示的な方法は、ステップ５３２、５３４、５３６、５３８、５４０、５４２、５４４および５４６を含む。たとえば、第１の基地局は、ＬＴＥマクロセル基地局のカバレージエリア内に配置されたＷｉＦｉアクセスポイントであり、第１の基地局は、発見信号をＵＥデバイスに通信するためおよび／または第１の通信帯域においてＵＥデバイスによって送信された信号を検出するために使用されるＬＴＥモデムと、第２の通信帯域においてユーザデータ、たとえばトラフィックデータを含むシグナリングのために使用される８０２．１１ＷｉＦｉモデムとを含む。別の例では、第１の基地局は、ＬＴＥマクロセル基地局のカバレージエリア内に配置されたブルートゥースアクセスポイントであり、第１の基地局は、発見信号をＵＥデバイスに通信するためおよび／または第１の通信帯域においてＵＥデバイスによって送信された信号を検出するために使用されるＬＴＥモデムと、第２の通信帯域においてユーザデータ、たとえばトラフィックデータを含むシグナリングのために使用されるブルートゥースモデムとを含む。さらに別の例では、第１の基地局は、ＬＴＥマクロセル基地局のカバレージエリア内に配置されたフェムト基地局であり、第１の基地局は、第１の通信帯域において発見のために使用されるＬＴＥモデムと、第２の通信帯域においてユーザデータ、たとえばトラフィックデータを含むシグナリングのために使用されるＣＤＭＡモデムとを含む。
【００６３】
[0079]ステップ５２０に戻ると、ステップ５２０において、第１の基地局は、第１の基地局内の第１のモデムの周波数設定をリセットする。たとえば、第１の基地局、たとえばＬＴＥフェムトセル基地局は、マクロ通信のためにマクロ基地局によって使用される周波数設定から、フェムトセルトラフィックシグナリングを含むフェムトセル通信のために第１の基地局によって使用される周波数設定に、ＬＴＥモデムの周波数設定をリセットする。動作はステップ５２０からステップ５２２に進む。
【００６４】
[0080]ステップ５２２において、第１の基地局は、第１のモデムを使用してＵＥデバイスと通信する。動作はステップ５２２からステップ５２４に進む。ステップ５２４において、第１の基地局は、ＵＥデバイスとの通信が終了したかどうかを決定する。ＵＥデバイスとの通信が終了していない場合、動作は、第１のモデムを使用してＵＥデバイスと追加の通信をするために、ステップ５２４からステップ５２２に進む。しかしながら、ＵＥデバイスとの通信が、たとえば、いくつかの可能性のある理由のうちのいずれかのために終了した場合、動作は、ステップ５２４からステップ５２６に進む。終了に対するいくつかの例示的な理由は、ＵＥデバイスが第１の基地局のカバレージエリアの外に移動したことと、ＵＥデバイスと第１の基地局との間のチャネル条件が悪化したことと、ＵＥデバイスおよび／または第１の基地局が通信するための追加のトラフィックデータを持たないことと、ＵＥデバイスが残りのバッテリー電力を保存することを望むことと、第１の基地局が過負荷であることとを含む。ステップ５２６において、第１の基地局は、第１の基地局が他のＵＥデバイスと通信中であるかどうかを決定する。ステップ５２６の決定が、第１の基地局が他のＵＥデバイスと通信中、である場合、動作は、ステップ５２６からステップ５２８に進み、第１の基地局は第１のモデムの送信機モジュールをパワーオンにされたままにする。動作はステップ５２８からステップ５２６の入力に進む。ステップ５２６の決定が、第１の基地局が他のＵＥデバイスと通信していない、である場合、動作は、ステップ５２６からステップ５３０に進み、第１の基地局は第１のモデムの送信機モジュールをパワーダウンする。
【００６５】
[0081]ステップ５３２に戻ると、ステップ５３２において、第１の基地局は、第１の基地局内の送信機モジュール、たとえば第１の基地局の第１のモデム内の送信機モジュールをスイッチオフする。動作はステップ５３２からステップ５３４に進む。ステップ５３４において、第１の基地局は、前記第１の基地局内の第２のモデムがパワーオンされているかどうかを決定する。ステップ５３４の決定が、第２のモデムがパワーオンされていない、である場合、動作はステップ５３４からステップ５３６に進み、他の場合は、動作はステップ５３４からステップ５３８に進む。ステップ５３６に戻ると、ステップ５３６において、第１の基地局は、第２のモデムをパワーアップする。動作はステップ５３６からステップ５３８に進む。
【００６６】
[0082]ステップ５３８において、第１の基地局は、前記第２のモデムを使用して前記ＵＥデバイスと通信する。動作はステップ５３８からステップ５４０に進む。ステップ５４０において、第１の基地局は、ＵＥデバイスとの通信が終了したかどうかを決定する。ＵＥデバイスとの通信が終了していない場合、動作は、第２のモデムを使用してＵＥデバイスと追加の通信をするために、ステップ５４０からステップ５３８に進む。しかしながら、ＵＥデバイスとの通信が、たとえば、いくつかの可能性のある理由のうちのいずれかのために終了した場合、動作は、ステップ５４０からステップ５４２に進む。終了に対するいくつかの例示的な理由は、ＵＥデバイスが第１の基地局のカバレージエリアの外に移動したことと、ＵＥデバイスと第１の基地局との間のチャネル条件が悪化したことと、ＵＥデバイスおよび／または第１の基地局が通信するための追加のトラフィックデータを持たないことと、ＵＥデバイスが残りのバッテリー電力を保存することを望むことと、第１の基地局が過負荷であることとを含む。ステップ５４２において、第１の基地局は、第１の基地局が、第２のモデムを使用して他のＵＥデバイスと通信中であるかどうかを決定する。ステップ５２６の決定が、第１の基地局は第２のモデムを使用して他のＵＥデバイスと通信中、である場合、動作は、ステップ５４２からステップ５４４に進み、第１の基地局は第２のモデムをパワーオンにされたままにする。動作はステップ５４４からステップ５４２の入力に進む。ステップ５４２の決定が、第１の基地局は第２のモデムを使用して他のＵＥデバイスと通信していない、である場合、動作は、ステップ５４２からステップ５４６に進み、第１の基地局は第２のモデムをパワーダウンする。
【００６７】
[0083]いくつかの実施形態では、ステップ５０４が継続して実行される。いくつかの他の実施形態では、ステップ５０６が定期的に実行される。
【００６８】
[0084]図６は、様々な例示的な実施形態による、例示的な第１の基地局６００、たとえば小カバレージエリア基地局の図である。いくつかの実施形態では、第１の基地局６００は、小カバレージエリア基地局であり、フェムト基地局、ピコ基地局、マイクロ基地局、ＷｉＦｉアクセスポイント、およびブルートゥースアクセスポイントのうちの１つである。例示的な第１の基地局４００は、たとえば、図１のシステム１００の小カバレージエリア基地局（１０６、１０８、１１０、１１２、１１４、１１６、１１８、１２０、１２２）のうちの１つである。例示的な第１の基地局６００は、図５のフローチャート５００による方法を実装し得、時々実装する。
【００６９】
[0085]第１の基地局６００は、バス６０９を介して互いに結合されたプロセッサ６０２とメモリ６０４とを含み、バス６０９を介して様々な要素（６０２、６０４）はデータおよび情報を交換し得る。第１の基地局６００は、図示のようにプロセッサ６０２に結合され得る入力／出力モジュール６０６をさらに含む。
【００７０】
[0086]ただし、いくつかの実施形態では、入力／出力モジュール６０６は、プロセッサ６０２の内部に配置される。入力／出力モジュール６０６は、第１のモデム、モデム１  ６１０、たとえばＬＴＥモデムを含む。いくつかの実施形態では、入力／出力モジュール６０６は、第２のモデム、モデム２  ６１６、たとえば８０２．１１ＷｉＦｉモデムおよびブルートゥースモデムのうちの１つをさらに含む。別の例では、モデム１  ６１０はＬＴＥモデムであり、モデム２  ６１２はＣＤＭＡモデムである。
【００７１】
[0087]モデム１  ６１０は、ワイヤレス通信受信アンテナ６２４に結合されたワイヤレス受信機モジュール６２０と、ワイヤレス通信送信アンテナ６２６に結合されたワイヤレス送信機モジュール６２２とを含む。モデム１  ６１０は、第１の通信プロトコル、たとえばセルラーワイヤレス無線プロトコルをサポートする。モデム１  ６１０のワイヤレス受信機モジュール６２０は、ワイヤレス信号を受信することと、第１の通信プロトコルを使用して受信されたワイヤレス信号を処理することとを行うように構成され、ワイヤレス送信機モジュール６２２は、第１の通信プロトコルを使用してワイヤレス信号を生成し、送信するように構成される。一例では、モデム１  ６１２０によって使用される通信プロトコルは、ＬＴＥプロトコルである。いくつかの実施形態では、モデム１  ６１０は、第１の周波数帯域、たとえば認可セルラー通信帯域において動作するように構成される。いくつかの実施形態では、モデム１  ６１０は、異なる時間に異なる周波数帯域において、たとえば、ある時間の間にマクロセルラー帯域においておよび他の時間の間にフェムトセルラー帯域において、動作するように構成され得、時々構成される。様々な実施形態では、モデム１  ４０６は、１つまたは複数の認可周波数帯域を使用して動作する。いくつかの実施形態では、同じアンテナが、入力と出力の両方のワイヤレス通信シグナリングに使用される。
【００７２】
[0088]モデム２  ６１６は、ワイヤレス通信受信アンテナ６３０に結合されたワイヤレス受信機モジュール６２８と、ワイヤレス通信送信アンテナ６３４に結合されたワイヤレス送信機モジュール６３２とを含む。様々な実施形態では、モデム２  ６１６は、第２の通信プロトコル、たとえば８０２．１１通信プロトコルまたはＷｉＦｉ通信プロトコルをサポートする。別の例では、モデム２  ６１６によってサポートされる第２の通信プロトコルは、ＣＤＭＡプロトコルである。モデム２  ６１６のワイヤレス受信機モジュール２  ６２８は、第２の周波数帯域においてワイヤレス通信リンクを介して入力を受信するように構成され、ワイヤレス送信機モジュール２  ６３２は、第２の周波数帯域においてワイヤレス通信リンクを介して出力を送信するように構成される。いくつかの実施形態では、第２の周波数帯域は、無認可周波数帯域である。いくつかの他の実施形態では、第２の周波数帯域は、認可周波数帯域である。
【００７３】
[0089]入力／出力モジュール６０６は、ワイヤードリンクおよび／または光リンクを介して入力を受信するためのワイヤード受信機モジュールおよび／または光受信機モジュール６１２と、ワイヤードリンクおよび／または光リンクを介して出力信号を送信するためのワイヤード送信機モジュールおよび／または光送信機モジュール６１４とをさらに含む。ワイヤード受信機モジュールおよび／または光受信機モジュール６１２ならびにワイヤード送信機モジュールおよび／または光送信機モジュール６１４は、他のノードおよび／またはバックホールに結合され、および／またはリンク６４２を介してインターネットに結合される。メモリ６０４は、ルーチン６１１とデータ／情報６１３とを含む。
【００７４】
[0090]様々な実施形態では、プロセッサ６０２は、前記第１の周波数帯域においてＵＥデバイスによって送信された信号を検出するために第２の基地局によって使用される第１の周波数帯域をモニタすることと、前記モニタすることが、前記第１の周波数帯域においてＵＥデバイスによって送信された信号を検出することに応答して、前記ＵＥデバイスに前記第１の基地局についての情報を通信することとを行うように構成される。いくつかのそのような実施形態では、第１の周波数帯域は、前記第２の基地局によっては使用されるがユーザデータを通信するために前記第１の基地局によっては使用されない周波数帯域である。様々な実施形態では、プロセッサ６０２は、第１の周波数帯域においてＵＥデバイスによって送信された信号を検出するように構成される。
【００７５】
[0091]いくつかの実施形態では、前記第１の基地局についての前記情報は、第１の基地局識別情報を含む。いくつかのそのような実施形態では、前記第１の基地局についての前記情報は、前記第１の基地局にアクセスするために使用され得る通信リソース、たとえば周波数および／またはタイムスロットを示す情報をさらに含む。いくつかの実施形態では、第１の基地局についての情報は、特定の通信技術、たとえばＬＴＥ、ＷｉＦｉなどを識別する情報を含む。いくつかの実施形態では、第１の基地局についての情報は、特定の通信プロトコルを識別する情報を含む。いくつかの実施形態では、第１の基地局についての情報は、第１の基地局ＵＥデバイスの間のシグナリングのために使用される通信帯域、たとえば第２の通信帯域を識別する情報を含み、前記シグナリングは、ユーザデータ、たとえばトラフィックデータ信号を含む。いくつかの実施形態では、第１の基地局についての情報は、暗号キーなど、認可および認証についての情報を含む。いくつかの実施形態では、第１の基地局についての情報は、第２の周波数帯域および第２の通信プロトコルの情報を含む。いくつかのそのような実施形態では、第２の周波数帯域は、ユーザデータを送信または受信するために第１の基地局によって使用される。
【００７６】
[0092]様々な実施形態では、プロセッサ６０２は、前記第１の基地局についての情報を前記ＵＥデバイスに通信するように構成されることの一部として、前記第２の基地局に前記情報を前記ＵＥデバイスに送信させるために、前記第２の基地局に信号を送るように構成される。いくつかのそのような実施形態では、前記第２の基地局への前記信号は、前記第２の基地局から前記ＵＥデバイスにユニキャスト送信を介して送信されるべき前記ＵＥデバイスに対応するＵＥデバイス識別子を含む情報を含む。
【００７７】
[0093]様々な実施形態では、プロセッサ６０２は、前記第１の基地局についての情報を前記ＵＥデバイスに通信するように構成されることの一部として、ユーザデータを送信または受信するために前記第１の基地局によって使用されない周波数帯域において前記ＵＥデバイスに前記情報を送信するように構成される。いくつかのそのような実施形態では、前記周波数帯域は、第２の基地局によって使用される周波数帯域である。いくつかのそのような実施形態では、前記第１の周波数帯域は、前記第２の基地局によって使用されるダウンリンク周波数帯域である。
【００７８】
[0094]様々な実施形態では、プロセッサ６０２は、前記第１の（フェムト）基地局が、前記第１の基地局内の送信機モジュールがパワーオフされるように制御する、低電力動作モードの間に前記モニタリングを実行するように構成され、プロセッサ６０２は、前記第１の周波数帯域において前記ＵＥデバイスによって送信された信号を検出することに応答して、前記低電力動作モードから、前記第１の基地局が受信機モジュールと送信機モジュールの両方に電源投入する高電力動作モードに切り替えるように構成される。
【００７９】
[0095]いくつかの実施形態では、第１の基地局は、ＷｉＦｉアクセスポイントである。いくつかの他の実施形態では、第１の基地局は、ブルートゥースアクセスポイントである。
【００８０】
[0096]いくつかの他の実施形態では、第１の基地局は、フェムト基地局、ピコ基地局、およびマイクロ基地局のうちの１つである。いくつかのそのような実施形態では、第１の基地局、たとえばフェムトセル基地局は、第２の基地局、たとえばフェムトセル基地局がそのセル内に配置されているマクロセル基地局、と同じ通信プロトコルを使用し、たとえば、マクロセルとフェムトセルの両方はＬＴＥを使用するが、ユーザデータ、たとえばトラフィックデータ信号を含む信号に対して異なる通信帯域を使用する。いくつかの他のそのような実施形態では、第１の基地局、たとえばフェムトセル基地局は、第２の基地局、たとえばフェムトセル基地局がそのセル内に配置されているマクロセル基地局として、異なる通信プロトコルを使用し、たとえば、フェムトセルはＣＤＭＡを使用し、マクロセルはＬＴＥを使用する。
【００８１】
[0097]いくつかの実施形態では、プロセッサ６０２は、第１の基地局内の第１のモデムの周波数設定をリセットし、たとえば、それによって、第１の基地局は、第１のモデムを使用する前記第１の周波数帯域と異なる第２の周波数帯域においてＵＥデバイスと通信し得るように構成される。いくつかの実施形態では、プロセッサ６０２は、第２の通信帯域において第１のモデムを使用してＵＥデバイスと通信するように構成される。いくつかの実施形態では、プロセッサ６０２は、ＵＥデバイスとの通信が終了したかどうかを決定するように構成される。いくつかのそのような実施形態では、プロセッサ６０２は、決定が、ＵＥデバイスとの通信が終了していない、である場合、第２の通信帯域を使用して第１のモデムを介してＵＥデバイスと追加の通信を実行するように構成される。様々な実施形態では、プロセッサ６０２は、第１の基地局が、第１のモデムと第２の通信帯域とを使用して他のＵＥデバイスと通信中であるかどうかを決定するように構成される。いくつかの実施形態では、プロセッサ６０２は、決定が、第１の基地局は少なくとも１つのＵＥデバイスと通信中、である場合、第１のモデムの送信機モジュールがパワーオンにされたままにするように構成される。いくつかの実施形態では、プロセッサ６０２は、第１の基地局は、もはや、第２の通信帯域において第１のモデムを介してＵＥデバイスと通信していないことが決定される場合、第１のモデムの送信機モジュールをパワーダウンするように構成される。
【００８２】
[0098]いくつかの実施形態では、たとえば、第１の基地局が、第１の基地局内の第２のモデムを使用してＵＥデバイスと通信することを意図するとき、プロセッサ６０２は、第１の基地局内の送信機モジュール、たとえば第１の基地局の第１のモデム内の送信機モジュールをスイッチオフするように構成される。いくつかの実施形態では、プロセッサ６０２は、前記第１の基地局内の第２のモデムがパワーオンされているかどうかを決定するように構成される。いくつかの実施形態では、プロセッサ６０２は、第２のモデムがパワーオンされておらず、第１の基地局がＵＥデバイスと通信することを意図しており、前記通信がユーザデータ、たとえばトラフィックデータを通信することを含むことが決定されるとき、第２のモデムをパワーアップするように構成される。
【００８３】
[0099]様々な実施形態では、プロセッサ６０２は、前記第２のモデムを使用して、たとえば、第１の通信帯域と異なる第２の通信帯域を使用して、前記ＵＥデバイスと通信するように構成される。いくつかの実施形態では、プロセッサ６０２は、ＵＥデバイスとの通信が終了したかどうかを決定するように構成される。いくつかのそのような実施形態では、プロセッサ６０２は、通信が終了していないことが決定される場合、第２のモデムを使用してＵＥデバイスと追加の通信を実行するように構成される。いくつかの実施形態では、プロセッサ６０２は、第１の基地局が第２のモデムを使用して他のＵＥデバイスと通信中であるかどうか、通信が第１の基地局とＵＥデバイスとの間で終了したことが決定されたかどうかを決定するように構成される。いくつかの実施形態では、プロセッサ６０２は、少なくとも１つのＵＥデバイスが、第２のモデムを使用して第１の基地局と依然として通信中であることが決定されるとき、第２のモデムがパワーオンにされたままにするように構成される。いくつかの実施形態では、プロセッサ６０２は、ＵＥデバイスが、第２のモデムを使用して第１の基地局と依然として通信中ではないことが決定されるとき、第２のモデムをパワーダウンするように構成される。
【００８４】
[00100]図７Ａと図７Ｂとの組合せからなる図７は、図６に示す第１の基地局６００中で使用され得、いくつかの実施形態では、第１の基地局６００中で使用されるモジュールのアセンブリ７００である。モジュールのアセンブリ７００は、たとえば、個別回路として、図６の基地局６００のプロセッサ６０２内にハードウェアで実装され得る。アセンブリ７００内のモジュールは、たとえば、個別回路として、プロセッサ６０２内のハードウェアで完全に実装され得、いくつかの実施形態では実装される。他の実施形態では、モジュールのいくつかは、たとえば、プロセッサ６０２内に回路として実装され、他のモジュールは、たとえば、プロセッサの外部の、プロセッサと結合された回路として実装される。プロセッサ上のモジュールおよび／またはプロセッサの外部にあるいくつかのモジュールの集積化のレベルは、設計の選択の１つであり得ることは諒解されよう。代替として、回路として実装されるのではなく、モジュールのすべてまたはいくつかは、ソフトウェアとして実装され、第１の基地局６００のメモリ６０４に記憶されてよく、モジュールは、モジュールがプロセッサ、たとえばプロセッサ６０２によって実行されるときに、モジュールに対応する機能を実施するように基地局６００の動作を制御する。いくつかのそのような実施形態では、モジュールのアセンブリ６００は、図６の第１の基地局６００のメモリ６０４のルーチン６１１中に含まれる。さらに他の実施形態では、様々なモジュールは、ハードウェアとソフトウェアの組合せとして、たとえばプロセッサ６０２に入力を与える、プロセッサの外部のセンサ回路または別の回路とともに実装され、プロセッサ６０２は、その場合、ソフトウェア制御の下でモジュールの機能の一部を実行するように動作する。
【００８５】
[0100]図６では、実施形態はシングルプロセッサ、たとえば、コンピュータとして示されているが、プロセッサ６０２は、１つまたは複数のプロセッサ、たとえば、コンピュータとして実装され得ることを諒解されたい。
【００８６】
[0101]ソフトウェアで実装されるとき、それらのモジュールはコードを含み、そのコードは、プロセッサ６０２によって実行されたとき、そのプロセッサ６０２を、そのモジュールに対応する機能を実装するように構成する。モジュールのアセンブリ７００がメモリ６０４に記憶される実施形態では、メモリ６０４は、少なくとも１つのコンピュータ、たとえば、プロセッサ６０２に、モジュールが対応する機能を実装することを行わせるためのコード、たとえば、モジュールごとの個別コードを備えるコンピュータ可読媒体を備えるコンピュータプログラム製品である。
【００８７】
[0102]完全にハードウェアベースのまたは完全にソフトウェアベースのモジュールが使用され得る。ただし、機能を実装するために、ソフトウェアモジュールとハードウェア、たとえば回路実装型モジュールの任意の組合せが使用され得ることを諒解されたい。図７に示されるモジュールは、第１の基地局６００、またはプロセッサ６０２など、その中の要素を、図５の方法フローチャート５００に示される対応するステップの機能を実行するように制御および／または構成することを諒解されたい。
【００８８】
[0103]モジュールのアセンブリ７００は、図５に示される方法の各ステップに対応するモジュールを含む。図５に示される対応するステップを実行するようにプロセッサ６０２を実行または制御する図７中のモジュールは、５で始まる番号の代わりに７で始まる番号で識別される。たとえば、モジュール７０４はステップ５０４に対応し、ステップ５０４に関して説明される動作を実行することを担当する。
【００８９】
[0104]図７に示されるように、パートＡ  ７０１とパートＢ  ７０３の組合せからなるモジュールのアセンブリ７００は、第１の基地局を初期化するように構成されたモジュール７０２と、第１の周波数帯域においてユーザ機器（ＵＥ）デバイスによって送信された信号を検出するために、第２の基地局によって使用される第１の周波数帯域をモニタするように構成されたモジュール７０４とを含む。モジュール７０４は、第１の周波数帯域においてＵＥデバイスによって送信された信号を検出するように構成されたモジュールを含む。モジュールのアセンブリ７００は、第１の周波数帯域においてＵＥデバイスによって送信された信号を検出することに応答して、第１の基地局内の送信機モジュールがパワーオフされる低電力動作モードから受信機モジュールと送信機モジュールの両方がパワーオンされる高電力動作モードに切り替えるように構成されたモジュール７０８と、第１の周波数帯域においてＵＥデバイスによって送信された信号を検出することに応答して、第１の基地局についての情報をＵＥデバイスに通信するように構成されたモジュール７１０とをさらに含む。いくつかの実施形態では、モジュール７１０は、第１の基地局についての情報をＵＥデバイスに送信することを前記第２の基地局に要求する信号を第２の基地局に送るように構成されたモジュール７１２、またはユーザデータを送信または受信するために第１の基地局によって使用されない周波数帯域において第１の基地局についての情報をＵＥデバイスに送信するように構成されたモジュール７１４を含む。
【００９０】
[0105]様々な実施形態では、第１の通信帯域、たとえばマクロセルラー通信帯域は、第１の基地局についての情報を通信するために第１の基地局によって使用される。いくつかの実施形態において、通信される発見情報は、ユーザデータ、たとえばトラフィックデータをＵＥデバイスと通信するために使用されるべき第２の通信帯域、たとえばフェムトセル通信帯域を識別する情報を含む。
【００９１】
[0106]いくつかの実施形態では、第１の周波数帯域は、第２の基地局、たとえばマクロ基地局によって使用されるマクロ周波数帯域である。いくつかのそのような実施形態では、第１の周波数帯域は、マクロアップリンク周波数帯域である。いくつかの実施形態では、第１の周波数帯域は、前記第２の基地局によっては使用されるがユーザデータを通信するために前記第１の基地局によっては使用されない周波数帯域である。
【００９２】
[0107]いくつかの実施形態では、モジュール７１０によって通信された、前記第１の基地局についての前記情報は、第１の基地局識別情報を含む。いくつかのそのような実施形態では、前記第１の基地局についての前記情報は、前記第１の基地局にアクセスするために使用され得る通信リソース、たとえば周波数および／またはタイムスロットを示す情報をさらに含む。いくつかの実施形態では、第１の基地局についての情報は、暗号キーなど、認可および認証についての情報を含む。いくつかの実施形態では、第１の基地局についての情報は、第２の周波数帯域および第２の通信プロトコルの情報を含む。いくつかのそのような実施形態では、第２の周波数帯域は、ユーザデータを送信または受信するために第１の基地局によって使用される。いくつかの実施形態では、モジュール５１２によって送られた、前記第２の基地局への前記信号は、前記第２の基地局から前記ＵＥデバイスにユニキャスト送信を介して送信されるべき、前記ＵＥデバイスに対応するＵＥデバイス識別子を含む情報を含む。
【００９３】
[0108]いくつかの実施形態では、前記第１の周波数帯域は、前記第２の基地局によって使用されるダウンリンク周波数帯域である。いくつかの他の実施形態では、第１の周波数帯域は、前記第２の基地局によって使用されるアップリンク周波数帯域である。
【００９４】
[0109]いくつかの実施形態では、モジュール７０４は、前記第１の基地局が、前記第１の基地局内の送信機モジュールがパワーオフされるように制御する、低電力動作モードの間にモニタリングを実行する。
【００９５】
[0110]様々な実施形態では、前記第１の基地局は、小カバレージエリア基地局である。いくつかの実施形態では、前記第１の基地局は、ＷｉＦｉアクセスポイントである。いくつかの実施形態では、前記第１の基地局は、ブルートゥースアクセスポイントである。いくつかの実施形態では、前記第１の基地局は、フェムト基地局、ピコ基地局、およびマイクロ基地局のうちの１つである。
【００９６】
[0111]いくつかの実施形態、たとえば、第１の基地局６００が、異なる時間に、マクロセル通信帯域と、小カバレージエリアたとえばフェムトセル通信帯域とにおいて通信するためにモデム１  ６１０を使用するいくつかの実施形態では、モジュールのアセンブリ７００は、モジュール７２０、７２２、７２４、７２５、７２６、７２８および７３０のうちの１つもしくは複数またはすべてを含む。したがって、いくつかの実施形態では、モジュールのアセンブリ７００は、第１の基地局内の第１のモデムの周波数設定を、たとえば第１の周波数帯域から第２の周波数帯域にリセットするように構成されたモジュール７２０と、第１のモデムを使用して、たとえば第２の周波数帯域を使用して前記ＵＥデバイスと通信するように構成されたモジュール７２２と、ＵＥデバイスとの通信が終了されたかどうかを決定するように構成されたモジュール７２４と、ＵＥデバイスとの通信が終了されていないことが決定されたときに第１のモデムを介してＵＥデバイスとの通信を継続するように第１の基地局を制御するように構成されたモジュール７２５と、第１の基地局が第１のモデムを介して他のＵＥデバイスと通信中であるかどうかを決定するように構成されたモジュール７２６と、第１の基地局が第１のモデムを介して他のＵＥデバイスと通信中であることが決定された場合に第１のモデムをパワーオンの状態に保つように第１の基地局を制御するように構成されたモジュール７２８と、第１の基地局がＵＥデバイスとの通信を終了しており、第１のモデムを介して他のＵＥデバイスと通信していないことが決定された場合に第１のモデムの送信機モジュールをパワーダウンするように第１の基地局を制御するように構成されたモジュール７３０とを含む。
【００９７】
[0112]様々な実施形態では、第１の通信帯域、たとえばマクロセルラー通信帯域は、第１の基地局についての情報を通信するために第１の基地局によって使用される。いくつかの実施形態において、通信される発見情報は、ユーザデータ、たとえばトラフィックデータをＵＥデバイスと通信するために使用されるべき第２の通信帯域、たとえばフェムトセル通信帯域を識別する情報を含む。
【００９８】
[0113]いくつかの実施形態、たとえば、第１の基地局６００が、モデム１  ６１０、たとえばＬＴＥモデムと、モデム２  ６１６、たとえばＷｉＦｉモデムまたはブルートゥースモデムまたはＣＤＭＡモデムとを使用するいくつかの実施形態では、モジュールのアセンブリ７００は、モジュール７３２、７３４、７３６、７３８、７４０、７４１、７４２、７４４および７４６のうちの１つもしくは複数またはすべてを含む。したがって、いくつかの実施形態では、モジュールのアセンブリ７００は、第１の基地局内の前記送信機モジュール、たとえば第１のモデム内の送信機モジュールをスイッチオフするように構成されたモジュール７３２と、第１の基地局内の第２のモデムがパワーオンされているかどうかを決定するように構成されたモジュール７３４と、第１の基地局内の第２のモデムをパワーアップすること、たとえば、ユーザデータ信号たとえばトラフィックデータ信号を含む、第１の基地局とＵＥデバイスとの間の通信をサポートすることを行うように構成されたモジュール７３６と、第２のモデムを使用して前記ＵＥデバイスと通信するように構成されたモジュール７３８と、ＵＥデバイスとの通信が終了したかどうかを決定するように構成されたモジュール７４０と、ＵＥデバイスとの通信が終了していないことが決定されたときに第２のモデムを介してＵＥデバイスとの通信を継続するように第１の基地局を制御するように構成されたモジュール７４１と、第１の基地局が第２のモデムを介して他のＵＥデバイスと通信中であるかどうかを決定するように構成されたモジュール７４２と、第１の基地局が第２のモデムを介して任意のＵＥデバイスと通信中であることが決定された場合に第２のモデムをパワーオンの状態に保つように第１の基地局を制御するように構成されたモジュール７４４と、第１の基地局がＵＥデバイスとの通信を終了しており、第２のモデムを介して他のＵＥデバイスと通信していないことが決定された場合に第２のモデムをパワーダウンするように第１の基地局を制御するように構成されたモジュール７４６とを含む。
【００９９】
[0114]図８は、様々な実施形態による、例示的な小カバレージエリア基地局が送信した発見信号８００を示す。例示的な信号８００は、たとえば、図２のフローチャート２００のステップ２０６においてＵＥデバイスの第１のモデムによって受信される発見信号である。いくつかの実施形態では、発見信号８００は、異なるフィールドにおける異なる情報を通信する複数のフィールドを有するメッセージである。例示的な発見信号８００は、小カバレージエリア基地局識別情報８０２、たとえばＷｉＦｉ  ＡＰのＳＳＩＤもしくはフェムトセルのセルＩＤなどの小カバレージエリア基地局識別子、小カバレージエリア基地局タイプ情報８０４、たとえばフェムト基地局、ピコ基地局、マイクロ基地局、ＷｉＦｉ  ＡＰもしくはブルートゥースＡＰのうちの１つとして小カバレージエリア基地局のタイプを識別する情報、通信帯域情報８０６、たとえば小カバレージエリア基地局によって使用される１つもしくは複数の帯域、たとえばＷｉＦｉ帯域を識別する情報、および／または小カバレージエリア基地局に対応するキャリア情報、たとえばフェムトセルキャリアを含む。例示的な発見信号８００は、通信プロトコル情報８０８、たとえば、情報８０６によって識別される通信帯域における通信のために小カバレージエリア基地局によって使用されるべきプロトコル、たとえばＬＴＥプロトコル、８０２．１１プロトコル、またはブルートゥースプロトコルを識別する情報をさらに含む。例示的な信号８００は、アクセス情報を含むシステム情報８１０をさらに含む。システム情報８１０は、たとえば、下記の、キー情報と、小カバレージエリア基地局にアクセスするために使用される特定のエアリンクリソースを含むエアリンクリソース構造を識別する情報と、システムパラメータを通信する情報、たとえばマスター情報ブロック（ＭＩＢ）およびシステム情報ブロック（ＳＩＢ）の情報とのうちのいずれかを含む。例示的な信号８００は、追加の情報８１２をさらに含む。
【０１００】
[0115]別の例では、発見信号８００は、小カバレージエリア基地局である第１の基地局によってフローチャート５００のステップ５１４において送信される。
【０１０１】
[0116]図９は、様々な実施形態による、例示的なＵＥデバイス発見信号９００を示す。例示的な発見信号９００は、たとえば、第１の基地局、たとえば小カバレージエリア基地局によって図５のフローチャート５００のステップ５０６において検出される信号である。いくつかの実施形態では、発見信号９００は、異なるフィールドにおける異なる情報を通信する複数のフィールドを有するメッセージである。例示的な発見信号９００は、ＵＥデバイス識別情報９０２、たとえば短縮された一時的モバイル加入者ＩＤ（Ｓ−ＴＭＳＩ）と、ＵＥデバイス能力情報９０４、たとえばＵＥデバイスがサポートするモデムを識別する情報、たとえばＵＥデバイスがロングタームエボリューション（ＬＴＥ）、ＷｉＦｉおよびブルートゥースに対するモデムを含むことを識別する情報と、ネットワーク識別子９０６、たとえば公有地モバイルネットワーク（ＰＬＭＮ：public land mobile network）識別子と、ＵＥデバイスによって要求されるサービス品質（ＱｏＳ）のタイプまたはレベルを識別する情報９０８とを含む。例示的な信号９００は、追加の情報９１０をさらに含む。
【０１０２】
[0117]図１０は、様々な実施形態による、小カバレージエリア基地局からマクロ基地局への例示的な要求信号１０００を示す。例示的な要求信号１０００は、たとえば、第１の基地局、たとえば小カバレージエリア基地局によって図５のフローチャート５００のステップ５１２において、第２の基地局、たとえばマクロ基地局に送信された信号である。いくつかの実施形態では、要求信号１０００は、異なるフィールドにおける異なる情報を通信する複数のフィールドを有するメッセージである。例示的な要求信号１０００は、ソース情報１００２、たとえば信号１０００を送信した小カバレージエリア基地を識別する情報と、宛先情報１００４、たとえば信号が宛てられるマクロ基地局を識別する情報と、マクロ基地局が小カバレージエリア基地局についての情報を送信することをＵＥデバイスに要求する情報１００６と、小カバレージエリア基地局についての情報が送られるべき特定のＵＥデバイスを識別するＵＥ識別子１００８とを含む。例示的な信号１０００は、追加の情報１０１２をさらに含む。
【０１０３】
[0118]図１１は、例示的な実施形態による、小カバレージエリア基地局、たとえばＷｉＦ  ＡＰについての情報を含む、ＵＥデバイスへの例示的な小カバレージエリア基地局情報信号１１００を示す。例示的な信号１１００は、ソース情報１１０２、たとえば信号１１０２を送信しているマクロ基地局または小カバレージエリア基地局を識別する情報と、宛先情報１１０４、たとえば通信された小カバレージエリア基地局情報が配信されるべきＵＥデバイスを識別する情報と、アクセスポイントによって使用される帯域を通信する情報１１０６、たとえばＷｉＦｉ帯域を識別する情報と、ＡＰのＳＳＩＤを通信する情報１１０８と、キー情報１１１０、たとえばＷｉＦｉ保護アクセス（ＷＰＡ：WiFi Protected Access）キーとを含む。例示的な信号１１００は、追加の情報１１１２をさらに含む。いくつかの実施形態、たとえば小カバレージエリア基地局が信号１１００を送信するいくつかの実施形態では、信号１１００は、そのノードを介して小カバレージエリア基地局についての情報が転送される中間ノードを識別する中間宛先情報（intermediate destination information）１１０３、たとえば小カバレージエリア基地局が配置されるマクロ基地局を識別する情報を含む。例示的な一実施形態では、信号１１００は、受信された要求信号１０００に応答してマクロ基地局によって生成され、送信された信号であり、要求信号１０００は、図５のフローチャート５００のステップ５１２において小カバレージエリア基地局によって送信された。別の例示的な実施形態では、信号１１１０は、小カバレージエリア基地局によって生成され、図５のフローチャート５００のステップ５１４において送信される信号である。
【０１０４】
[0119]図１２は、例示的な実施形態による、小カバレージエリア基地局、たとえばフェムトＢＳについての情報を含む、ＵＥデバイスへの例示的な小カバレージエリア基地局情報信号１２００を示す。例示的な信号１２００は、ソース情報１２０２、たとえば信号１２００を送信しているマクロ基地局または小カバレージエリア基地局を識別する情報と、宛先情報１２０４、たとえば通信された小カバレージエリア基地局情報が配信されるべきＵＥデバイスを識別する情報と、小カバレージエリア基地局のキャリア情報、たとえばフェムト基地局のキャリア情報を通信する情報１２０６と、小カバレージエリア基地局のセルＩＤ、たとえばフェムトＢＳのセルＩＤを通信する情報１２０８と、システム情報１２１０、たとえば小カバレージエリアＢＳに対応するＭＩＢおよびＳＩＢ情報とを含む。いくつかの実施形態、たとえば小カバレージエリア基地局が信号１２００を送信するいくつかの実施形態では、信号１２００は、中間ノード（intermediate node）を識別する中間宛先情報１２０３、例えば、当該小カバレージエリア基地局が配置されるマクロ基地局を識別する情報、を含み、当該中間ノードを介して小カバレージエリア基地局についての情報が転送される。例示的な一実施形態では、信号１２００は、受信された要求信号１０００に応答してマクロ基地局によって生成され、送信された信号であり、要求信号１０００は、図５のフローチャート５００のステップ５１２において小カバレージエリア基地局によって送信された。別の例示的な実施形態では、信号１２１０は、小カバレージエリア基地局によって生成され、図５のフローチャート５００のステップ５１４において送信される信号である。
【０１０５】
[0120]図１３の図面１３００は、例示的な実施形態による、小カバレージエリア基地局１３０２を動作させる一例を示す。例示的な小カバレージエリア基地局１３０２は、たとえば、図５のフローチャート５００による方法を実装する、および／または図７の第１の基地局７００に従って実装される、第１の基地局である。例示的なワイヤレス通信システムは、マクロセル基地局１３４８と、小カバレージエリア基地局１３０２、たとえばマクロＢＳ  １３４８に対応するマクロセル内に配置されたＷｉＦｉアクセスポイントと、ユーザ機器（ＵＥ）デバイス１３０３、たとえばスマートフォンなどのモバイルワイヤレス端末とを含む。小カバレージエリア基地局１３０２は、プロセッサ１３０４と、メモリ１３０６と、第１のモデム、ＬＴＥモデムであるモデム１  １３０８と、第２のモデム、ＷｉＦｉモデムであるモデム２  １３１０とを含む。モデム（１３０８および１３１０は、プロセッサ１３０４に結合される。モデム１  １３０８は、第１の周波数帯域、たとえば認可周波数帯域においてＬＴＥ信号を送信するための送信アンテナ１３１１に結合された送信機モジュールＴＸ  １  １３１２を含む。モデム１  １３０８は、第１の周波数帯域においてＬＴＥ信号を受信するための受信アンテナ１３１３に結合された受信機モジュールＲＸ  １  １３１４を含む。モデム２  １３１０は、第２の周波数帯域、たとえば無認可周波数帯域においてＷｉＦｉ信号を送信するための送信アンテナ１３１５に結合された送信機モジュールＴＸ  ２  １３１６を含む。モデム２  １３１０は、第２の周波数帯域においてＷｉＦｉ信号を受信するための受信アンテナ１３１７に結合された受信機モジュールＲＸ  ２  １３１８含む。
【０１０６】
[0121]ＵＥデバイス１３０３は、プロセッサ１３２０と、メモリ１３２２と、第１のモデム、ＬＴＥモデムであるモデム１  １３２４と、第２のモデム、ＷｉＦｉモデムであるモデム２  １３２６とを含む。モデム（１３２４および１３２６）は、プロセッサ１３２０に結合される。モデム１  １３２４は、第１の周波数帯域、たとえば認可周波数帯域においてＬＴＥ信号を送信するための送信アンテナ１３２７に結合された送信機モジュールＴＸ  １  １３２８を含む。モデム１  １３２４は、第１の周波数帯域においてＬＴＥ信号を受信するための受信アンテナ１３２９に結合された受信機モジュールＲＸ  １  １３３０を含む。モデム２  １３２６は、第２の周波数帯域、たとえば無認可周波数帯域においてＷｉＦｉ信号を送信するための送信アンテナ１３３１に結合された送信機モジュールＴＸ  ２  １３３２を含む。モデム２  １３２６は、第２の周波数帯域においてＷｉＦｉ信号を受信するための受信アンテナ１３３３に結合された受信機モジュールＲＸ  ２  １３３４含む。
【０１０７】
[0122]マクロ基地局１３４８は、第１の周波数帯域においてワイヤレスＬＴＥ信号を送信および受信するためのＬＴＥモデム１３４９を含む。マクロ基地局１３４８はまた、他のネットワークノード、バックホールネットワーク、および／またはインターネットに結合される。いくつかの実施形態では、小カバレージエリア基地局１３０２は、他のネットワークノード、バックホールネットワーク、および／またはインターネットに結合される。
【０１０８】
[0123]ステップ１３４０において、小カバレージエリアＢＳ  １３０２は、１つまたは複数のＵＥデバイスからの信号を検出するために第１の周波数帯域を継続的にモニタし、たとえば、第１の周波数帯域において発見信号を伝達するために使用されるように指定された特定のリソースをモニタする。ステップ１３４１において、第１のＵＥデバイスは、第１のモデム１３２４をパワーオンする。ステップ１３４２において、ＵＥデバイスは、発見信号１３４３を生成し、第１の周波数帯域に送信する。発見信号は、たとえば、例示的な発見信号９００に従う。ステップ１３４４において、小カバレージエリアＢＳ  １３０２は、発見信号１３４３を検出する。発見信号を検出することに応答して、発見信号内で通信された情報を処理し、小カバレージエリアＢＳ  １３０２はＵＥデバイス１３０３との通信をサポートできると決定し、ＵＥデバイス１３０３はＷｉＦｉモデムを含むので、小カバレージエリアＢＳ  １３０２は、ステップ１３４５  ｂｙにおいて、小カバレージエリア基地局１３０２についての情報を通信することによってＵＥデバイスに対し応答し、当該情報は第１の通信帯域においてＵＥデバイス１３０３に通信される。
【０１０９】
[0124]一実施形態では、サブステップ１３４５Ａにおいて、小カバレージエリア基地局１３０２は、小カバレージエリア基地局についての情報をＵＥデバイス１３０３に送信することをマクロ基地局１３４８に要求する要求信号１３４６Ａを生成し、マクロ基地局１３４８に送信する。一例では、要求信号１３４６Ａは、図１０の要求信号１０００に従う。別の実施形態では、サブステップ１３４５Ｂにおいて、小カバレージエリア基地局１３０２は、情報信号１３４６Ｂを生成してマクロ基地局１３４８に送信し、信号１３４６Ｂは、ＵＥデバイス１３０３に通信されるべき小カバレージエリア基地局についての情報を含む。一例では、情報信号１３４６Ｂは、図１１の情報信号１１００に従う。いくつかの実施形態では、信号１３４６Ａまたは１３４６Ｂは、小カバレージエリアＢＳ  １３０２とマクロＢＳ  １３０３との間で第１の周波数帯域を介してワイヤレスに通信される。いくつかの実施形態では、信号１３４６Ａまたは１３４６Ｂは、小カバレージエリアＢＳ  １３０２とマクロＢＳ  １３０３との間でバックホールを介して通信される。マクロ基地局１３５０は、要求信号１３４６Ａまたは情報信号１３４６Ｂを受信する。要求信号１３４６Ａが受信された場合、マクロＢＳ  １３４８は、たとえばルックアップテーブルを介してその内部メモリから、または別のネットワークノードに記憶されている情報によって外部から、小カバレージエリアＢＳ  １３０２についての情報を取出し、マクロＢＳ  １３４８は、ＵＥ  １３０３が小カバレージエリアＢＳ  １３０３に接続することを可能にする小カバレージエリア基地局についての情報を含む情報信号１３５０を生成する。次いで、マクロＢＳ  １３４８は、ＬＴＥシグナリングプロトコルを使用して第１の周波数帯域において情報信号１３５０をＵＥデバイス１３０３に送信する。情報信号１３４６ＢがマクロＢＳ  １３４８によって受信された場合、マクロＢＳは、信号１３４６Ｂ内で通信された情報を含む信号１３５０を生成し、ＬＴＥシグナリングプロトコルを使用して第１の周波数帯域において信号１３５０をＵＥデバイス１３０３に送信する。様々な実施形態では、信号１３５０は、図１１の１１００に従う。ＵＥデバイス１３０３は、第１のモデム１３２４において情報信号１３５０を受信し、ＵＥデバイス１３０３が小カバレージエリア基地局にアクセスすることを可能にする小カバレージエリア基地局についての情報を復元する。
【０１１０】
[0125]一実施形態では、サブステップ１３４５Ｃにおいて、小カバレージエリアＢＳ  １３０２は、小カバレージエリアＢＳ  １３０２についての情報をＵＥデバイス１３０３に通信するために、発見信号を生成し、当該発見信号を、たとえば発見リソース内でＬＴＥ通信プロトコルを使用して第１の周波数帯域において、ＵＥデバイス１３０２に送信する。一実施形態では、発見信号１３４６Ｃは、図８の発見信号８００に従う。ＵＥデバイス１３０３は、信号１３４６Ｃを受信し、通信された情報を復元する。
【０１１１】
[0126]信号１３４６Ａまたは信号１３４６Ｂまたは信号１３４６Ｃの送信に続いて、小カバレージエリアＢＳ  １３０２は、ステップ１３４７において、第２のモデムをパワーオンする。ステップ１３５３において、信号１３５２からの情報の復元に続いて、ＵＥデバイス１３０３は、ステップ１３５３においてモデム１  １３２４をパワーダウンし、ステップ１３５４においてモデム２  １３２６をパワーオンする。ステップ１３５５において、ＵＥデバイス１３０３は、信号１３５０から復元された情報に従って第２のモデムを構成する。
【０１１２】
[0127]ＵＥデバイス１３０３は、第２の通信帯域においてＷｉＦｉ制御シグナリングを介して小カバレージエリア基地局１３０２にアクセスし、小カバレージエリア基地局１３０２に接続する。ステップ１３５６は、ＷｉＦｉ制御信号１３５７が、第２の周波数帯域においてモデム２  １３２６のＴＸ  ２  １３３２から送信されることを示す。ステップ１３５８は、ＷｉＦｉ制御信号１３５７が、小カバレージエリアＢＳ  １３０２内のモデム２  １３１０のＲＸ  ２  １３１８によって受信されることを示す。ステップ１３５９は、ＷｉＦｉ制御信号１３６０が、第２の周波数帯域においてモデム２  １３１０のＴＸ  ２  １３１６から送信されることを示す。ステップ１３６１は、ＷｉＦｉ制御信号１３６０が、ＵＥデバイス１３０３内のモデム２  １３２６のＲＸ  ２  １３３４によって受信されることを示す。
【０１１３】
[0128]ステップ１３６２は、ＷｉＦｉユーザデータ信号１３６３、たとえばトラフィック信号が、第２の周波数帯域においてモデム２  １３２６のＴＸ  ２  １３３２から送信されることを示す。ステップ１３６４は、ＷｉＦｉユーザデータ信号１３６３が、小カバレージエリアＢＳ  １３０２内のモデム２  １３１０のＲＸ  ２  １３１８によって受信されることを示す。ステップ１３６５は、ＷｉＦｉユーザデータ信号、たとえばトラフィック信号１３６６が、第２の周波数帯域においてモデム２  １３１０のＴＸ  ２  １３１６から送信されることを示す。ステップ１３６７は、ＷｉＦｉユーザデータ信号１３６６が、ＵＥデバイス１３０３内のモデム２  １３２６のＲＸ  ２  １３３４によって受信されることを示す。
【０１１４】
[0129]いくつかのポイントにおいて、小カバレージエリアＢＳ  １３０２とＵＥデバイス１３０３との間の通信が終了されるが、それは、たとえば、ＵＥデバイス１３０３による終了の決定、小カバレージエリアＢＳ  １３０２による終了の決定、または悪いチャネル条件による通信の途絶を含むいくつかの理由による。通信の終了に応答して、ＵＥデバイス１３０３は、ステップ１３６８において、第２のモデム１３２６をパワーダウンする。通信の終了に応答して、ステップ１３６９において、小カバレージエリア基地局１３０２は、他のＵＥデバイスが小カバレージエリア基地局に現在接続されていない場合、第２のモデム１３１０をパワーダウンする。
【０１１５】
[0130]様々な実施形態では、ＵＥデバイスが小カバレージエリアＢＳに接続されていない場合、小カバレージエリア基地局は、モデム２  １３１０がパワーダウンされるように制御する。いくつかの実施形態では、小カバレージエリアＢＳ  １３０２は、検出されたＵＥデバイスに応答して、情報を通信するように動作されないとき、モデム１  １３０８のＴＸ  １モジュール１３１２がパワーダウンされるように制御する。いくつかの実施形態では、小カバレージエリア基地局１３０８は、ＵＥデバイスの発見を容易にするために、スケジュールに従って所定の発見時間期間の間、モデム１の受信機モジュール１３１４をパワーアップする。
【０１１６】
[0131]図１４の図面１４００は、例示的な実施形態による、ＵＥデバイス１４０３を動作させる一例を示す。ＵＥデバイス１４０３は、たとえば、図２のフローチャート２００による方法を実装する、および／または図３のＵＥデバイス３００に従って実装されたＵＥデバイスである。例示的なワイヤレス通信システムは、マクロセル基地局と、小カバレージエリア基地局１４０２、たとえばマクロＢＳに対応するマクロセル内に配置されたＷｉＦｉアクセスポイントと、ユーザ機器（ＵＥ）デバイス１４０３、たとえばスマートフォンなどのモバイルワイヤレス端末とを含む。小カバレージエリア基地局１４０２は、プロセッサ１４０４と、メモリ１４０６と、第１のモデム、ＬＴＥモデムであるモデム１  １４０８と、第２のモデム、ＷｉＦｉモデムであるモデム２  １４１０とを含む。モデム（１４０８および１４１０）は、プロセッサ１４０４に結合される。モデム１  １４０８は、第１の周波数帯域、たとえば認可周波数帯域においてＬＴＥ信号を送信するための送信アンテナ１４１１に結合された送信機モジュールＴＸ  １  １４１２を含む。モデム１  １４０８は、第１の周波数帯域においてＬＴＥ信号を受信するための受信アンテナ１４１３に結合された受信機モジュールＲＸ  １  １４１４を含む。モデム２  １４１０は、第２の周波数帯域、たとえば無認可周波数帯域においてＷｉＦｉ信号を送信するための送信アンテナ１４１５に結合された送信機モジュールＴＸ  ２  １４１６を含む。モデム２  １４１０は、第２の周波数帯域においてＷｉＦｉ信号を受信するための受信アンテナ１４１７に結合された受信機モジュールＲＸ  ２  １４１８含む。
【０１１７】
[0132]ＵＥデバイス１４０３は、プロセッサ１４２０と、メモリ１４２２と、第１のモデム、ＬＴＥモデムであるモデム１  １４２４と、第２のモデム、ＷｉＦｉモデムであるモデム２  １４２６とを含む。モデム（１４２４および１４２６）は、プロセッサ１４２０に結合される。モデム１  １４２４は、第１の周波数帯域、たとえば認可周波数帯域においてＬＴＥ信号を送信するための送信アンテナ１４２７に結合された送信機モジュールＴＸ  １  １４２８を含む。モデム１  １４２４は、第１の周波数帯域においてＬＴＥ信号を受信するための受信アンテナ１４２９に結合された受信機モジュールＲＸ  １  １４３０を含む。モデム２  １４２６は、第２の周波数帯域、たとえば無認可周波数帯域においてＷｉＦｉ信号を送信するための送信アンテナ１４３１に結合された送信機モジュールＴＸ  ２  １４３２を含む。モデム２  １４２６は、第２の周波数帯域においてＷｉＦｉ信号を受信するための受信アンテナ１４３３に結合された受信機モジュールＲＸ  ２  １４３４含む。
【０１１８】
[0133]ステップ１４４０において、ＵＥデバイス１４０３は、第１のモデム、モデム１  １４２４をパワーオンする。ステップ１４４２において、ＵＥデバイスは、第１のモデム１４３０、たとえば第１のモデム１４２４の受信機モジュール１４３０を使用して小カバレージエリア基地局からの発見信号を、第１のモデムを用いてモニタする。ステップ１４４４において、小カバレージエリア基地局１４０２は、ＬＴＥプロトコルに従って第１の周波数帯域を介して発見信号１４４６を送信する。いくつかの実施形態では、発見信号１４４６は、図８の発見信号８００に従う。ステップ１４４８において、ＵＥデバイス１４０３は、モデム１  １４２４内で発見信号１４４６を受信する。ステップ１４５０において、ＵＥデバイス１４０３は、小カバレージエリア基地局１４０２がＷｉＦｉ  ＡＰであることを示す情報を含む、信号１４４６内に通信された情報を復元する。
【０１１９】
ステップ１４５２において、両デバイス（１４０２および１４０３）がＷｉＦｉ  ８０２．１１モデムを含むので、ＵＥデバイス１４０３は小カバレージエリアＢＳ  １４０２との通信をサポートすること、例えば、ＵＥデバイス１４０３は互換性があることを、ＵＥデバイス１４０３は決定する。
【０１２０】
[0134]ステップ１４５４において、ＵＥデバイス１４０３が小カバレージエリアＢＳ  １４０２に接続（アタッチ）することを意図していることを、ＵＥデバイス１４０３は決定する。ステップ１４５６において、ＵＥデバイス１４０３はモデム１  １４２４をパワーダウンし、ステップ１４５８において、ＵＥデバイス１４０３はモデム２  １４２６をパワーオンする。ステップ１４６０において、ＵＥデバイス１４０３は、発見信号１４４６から復元された情報に従ってモデム２  １４２６を構成する。
【０１２１】
[0135]ステップ１４６２において、ＵＥデバイス１４０３は、小カバレージエリアＢＳ  １４０２からの信号を求めて第２の通信帯域を走査する。この例では、他のＵＥデバイスは、現在、小カバレージエリアＢＳ  １４０２に接続（アタッチ）されておらず、ＢＳ  １４０２は、電力を節約するために、モデム２  １４１０のＴＸモジュール１４１６をパワーダウンさせる。ＵＥデバイスは、モニタリングの間、ＢＳ  １４０２からの信号を検出しないので、ステップ１４６４において、ＵＥデバイスは、プローブ信号１４６６、たとえば第２の通信帯域におけるＷｉＦｉ信号を生成し、送信する。小カバレージエリアＢＳ  １４０２は、ステップ１４６８においてプローブ信号１４６６を検出し、それに応答して、ステップ１４７０において、小カバレージエリアＢＳ  １４０２は、モデム２  １４１０内の送信機モジュールＴＸ  ２  １４１６をパワーオンする。
【０１２２】
[0136]小カバレージエリアＢＳ  １４０２は、ステップ１４７２で示されるように、第２の通信帯域においてＷｉＦｉ制御信号１４７４を送信する。ＵＥデバイスは、ステップ１４７６において、ＷｉＦｉ制御信号１４７４を受信し、通信された情報を復元する。ＵＥデバイス１４０３は、ステップ１４７８で示されるように、第２の通信帯域においてＷｉＦｉ制御信号１４８０を送信する。小カバレージエリアＢＳ  １４０２は、ステップ１４８２において、ＷｉＦｉ制御信号１４８０を受信し、通信された情報を復元する。小カバレージエリアＢＳ  １４０２は、ステップ１４８４で示されるように、第２の通信帯域においてＷｉＦｉユーザデータ信号１４８６、たとえばトラフィック信号を送信する。ＵＥデバイス１４０３は、ステップ１４８８において、ＷｉＦｉユーザデータ信号１４８６を受信し、通信された情報を復元する。ＵＥデバイス１４０３は、ステップ１４９０で示されるように、第２の通信帯域においてＷｉＦｉユーザデータ信号１４９２、たとえばトラフィック信号を送信する。小カバレージエリアＢＳ  １４０２は、ステップ１４９４において、ＷｉＦｉユーザデータ信号１４９２を受信し、通信された情報を復元する。
【０１２３】
[0137]いくつかのポイントにおいて、たとえば、ＵＥデバイス１４０３による終了の決定、小カバレージエリアＢＳ  １４０２による終了の決定、または悪いチャネル条件による通信の途絶を含むいくつかの理由によって、小カバレージエリアＢＳ  １４０２とＵＥデバイス１４０３との間の通信が終了される。通信の終了に応答して、ＵＥデバイス１４０３は、ステップ１４９６において、第２のモデム１４２６をパワーダウンする。通信の終了に応答して、ステップ１４９８において、小カバレージエリア基地局１４０２は、他のＵＥデバイスが小カバレージエリア基地局に現在接続（アタッチ）されていない場合、第２のモデム１４１０内のＴＸモジュール１４１６をパワーダウンする。
【０１２４】
[0138]様々な実施形態では、ＵＥデバイスが小カバレージエリアＢＳ１４０２に接続されていない場合、小カバレージエリア基地局１４０２は、モデム２  １４１０内のＴＸモジュール１４１６がパワーダウンされるように制御する。いくつかの実施形態では、小カバレージエリアＢＳ  １４０２は、発見信号１４４４を送信するために動作されないとき、モデム１  １４０８のＴＸ  １モジュール１４１２がパワーダウンされるように制御する。
【０１２５】
[0139]図１５は、例示的な実施形態による、いくつかの例示的な周波数帯域といくつかの例示的なエアリンクリソースとを示す図面１５００である。垂直軸１５０２は周波数を表し、水平軸１５０４は時間を表す。ブロック１５１０は、第１の周波数帯域１５０６、たとえば認可周波数帯域に対応する例示的なエアリンクリソースを表す。ブロック１５０８は、第２の周波数帯域１５０８、たとえば無認可周波数帯域に対応する例示的なエアリンクリソースを表す。ブロック１５１０のエアリンクリソースは、マクロセルユーザデータシグナリング、たとえばトラフィックシグナリングを含むマクロセル基地局／ＵＥデバイス通信のために主に使用される。加えて、ブロック１５１０のリソースの小部分は、様々な小カバレージエリア基地局とＵＥデバイスとの間の通信を容易にするためのシグナリングに使用される。第１の通信帯域１５０６内のシグナリングは、第１の通信プロトコル、たとえばＬＴＥプロトコルを使用する。
【０１２６】
[0140]ブロック１５１２のエアリンクリソースは、小カバレージエリア基地局、たとえば、ユーザデータシグナリング、たとえばトラフィックシグナリングを含むＷｉＦｉ  ＡＰ／ＵＥデバイス通信のために使用される。第１の通信帯域１５０６内のシグナリングは、第２の通信プロトコル、たとえば８０２．１１ＷｉＦｉプロトコルを使用する。
【０１２７】
[0141]必ずしもすべてであるとは限らないが、いくつかの実施形態の様々な態様および／または特徴が、以下でさらに説明される。いくつかの例示的な方法および装置は、小カバレージエリア基地局、たとえばフェムトセル基地局、ピコセル基地局、マイクロセル基地局、ＷｉＦｉアクセスポイント、ブルートゥースアクセスポイントなどを効率的な方法で発見することを対象とする。様々な例示的な方法は、以下の方法のうちの１つまたは複数において効率的である。いくつかの例示的な方法は、アイドル状態のユーザ機器（ＵＥ）デバイスに対して電力効率が良い。様々な例示的な方法は、その方法が、小カバレージエリア基地局の探索に浪費される時間を除去し、したがってスループットならびにバッテリー寿命を改善することにおいて効率的である。いくつかの例示的な方法および／または装置は、その方法が、ＷｉＦｉアクセスポイントなどの非同期アクセスポイントの電力消費を改善することにおいて電力効率が良い。
【０１２８】
[0142]様々な実施形態では、小アクセス基地局、たとえばフェムトセル基地局、ピコセル基地局、マイクロセル基地局、ＷｉＦｉアクセスポイント、ブルートゥースアクセスポイントなどは、そのマクロセル内に小カバレージエリア基地局が、たとえばマクロセルの技術を使用して配置されるマクロ基地局の主キャリア（primary carrier）上で、送信すること、または少なくとも受信し復号することができる。たとえば、ＬＴＥマクロセル内に配置されたＷｉＦｉアクセスポイントもまた、ＬＴＥ信号を聴くことおよび復号することができる。
【０１２９】
[0143]いくつかの実施形態では、マクロセル基地局は、主キャリアのＵＬ帯域においてリソースのグループを割り当てる。ＵＥデバイスは、リソースのうちの１つをピックして周期的に送信する。
【０１３０】
[0144]いくつかの実施形態では、マクロセル基地局は、リソースの複数のグループ、たとえば発見リソースに、複数の周期性（periodicities）を割り当てる。いくつかの実施形態では、マクロセル基地局は、第１のグループ、たとえばアクティブなＵＥデバイスのためのグループを、リソース、たとえば発見リソースの間の第１の周期性に割り当て、第２のグループ、たとえばアイドル状態のＵＥデバイスのために留保されたグループを、リソース、たとえば発見リソースの間の第２の周期性に割り当て、第１の周期性は第２の周期性より短い。
【０１３１】
[0145]いくつかの実施形態では、ＵＥデバイスの各々は、それらが関連するマクロセルまたは小セルとは無関係にリソース内に送信する。いくつかの他の実施形態では、ＵＥデバイスのサブセットだけがこれらのリソース内に送信する。たとえば、マクロセル基地局に接続（アタッチ）された、またはマクロセル基地局にキャンプオンされたＵＥデバイスだけが、送信することができる。別の例では、ＷｉＦｉアクセスポイントに接続（アタッチ）されたＵＥデバイスを除くＵＥデバイスの各々が、送信することができる。
【０１３２】
[0146]いくつかの実施形態では、ＵＥデバイスは、そのアイデンティティ（たとえばＳ−ＴＭＳＩ）、その能力（たとえばＵＥデバイスがサポートし得るモデム）、およびそのネットワークアイデンティティ（たとえばＰＬＭＮアイデンティティ）を送信する。ＵＥデバイスは、当該ＵＥデバイスがコンタクトされ得るように十分な情報を送信する。いくつかの実施形態では、ＵＥデバイスはまた、それが要求するサービス品質（ＱｏＳ）のタイプを送信し得る。
【０１３３】
[0147]いくつかの実施形態では、小カバレージエリア基地局は、主キャリア上で周期的リソース、たとえばＵＥデバイスによって使用される周期的発見リソースをモニタし、ＵＥデバイスを発見する。いくつかのそのような実施形態では、小カバレージエリア基地局は、発見されたＵＥデバイスが当該小カバレージエリア基地局に接続し得るかどうかを決定する。いくつかの実施形態では、小カバレージエリア基地局は、当該小カバレージエリア基地局にアクセスするための情報を、ＭＭＥを介して当該発見されたＵＥに通信する。いくつかの実施形態では、小カバレージエリア基地局にアクセスするための情報は、いくつかの実施形態において、当該小カバレージエリア基地局の特定のタイプに応じて異なることがある。たとえば、ＷｉＦｉアクセスポイントにアクセスするためにＵＥデバイスに通信された情報は、たとえば、当該ＡＰによって使用される帯域、そのＳＳＩＤ、ＷＰＡキーなどを含み、ＬＴＥフェムト基地局情報（info）にアクセスするためにＵＥに通信された情報は、たとえば、当該フェムト基地局が送信しているキャリアと、ＰＬＭＮ  ｉｄと、セルＩＤと、ＭＩＢ／ＳＩＢの関連部分（relevant part）とを含む。
【０１３４】
[0148]いくつかの実施形態では、小カバレージエリア基地局が当該小カバレージエリア基地局に接続（アタッチ）されるＵＥデバイスを持たず、当該小カバレージエリア基地局がＵＥデバイスを発見しない場合、当該小カバレージエリア基地局は、次の周期的発見リソースまでスリープすることができる。したがって、当該小カバレージエリア基地局は、低電力動作モードに入る。
【０１３５】
[0149]いくつかの実施形態では、ＵＥデバイスは、小カバレージエリア基地局の情報を受信するとき、当該小カバレージエリア基地局にアクセスするかどうかを決定する。ＵＥデバイスが当該小カバレージエリア基地局にアクセスする場合、ＵＥデバイスは、当該小カバレージエリア基地局に対応する、関連するモデムをアクティブにし、当該小カバレージエリア基地局にアクセスする。
【０１３６】
[0150]いくつかの実施形態では、マクロセル基地局は、ＵＥデバイス送信のための専用のリソースを割り当てない。いくつかのそのような実施形態では、小カバレージエリア基地局は、主チャネル（primary channel）のＵＬ（たとえばマクロアップリンク）内のＵＥ固有の信号を聴き、それらの測定値をマクロセル基地局に通信する。マクロセル基地局は、次いで、その信号を送信したＵＥデバイスを決定し、小カバレージエリア基地局情報をＵＥデバイスに通信することができる。
【０１３７】
[0151]いくつかの実施形態では、マクロセル基地局は、小カバレージエリア基地局も送信し得るリソースを割り当てる。いくつかのそのような実施形態では、小カバレージエリア基地局は、次いで、当該小カバレージエリア基地局にアクセスするためにＵＥデバイスによって要求される情報を送信する。
【０１３８】
[0152]いくつかの実施形態では、基地局、たとえば小カバレージエリア基地局および／またはマクロセル基地局は、ＵＥデバイスの存在を発見するために、マクロセルのＵＬ帯域の一部において、ＵＥデバイス送信、たとえば発見信号をモニタする。いくつかのそのような実施形態では、次いで、検出されたＵＥデバイスに、当該ＵＥデバイスのエリア内の小カバレージエリア基地局を知らせる信号が、当該基地局から当該ＵＥデバイスに送られ、ＵＥデバイスは、次いで、エリア内の小カバレージエリア基地局のうちの１つまたは複数を使用するか否かを決定する。
【０１３９】
[0153]いくつかの実施形態では、ＵＥデバイスから送信された発見信号は、ＵＥデバイスの能力についての情報、たとえば、どのモデムがＵＥデバイス内に含まれるか、どの通信プロトコルをＵＥデバイスがサポートするか、および／またはどの通信帯域をＵＥデバイスがサポートするか、を含む。いくつかのそのような実施形態では、基地局は、どの小カバレージエリア基地局がＵＥデバイスと互換性があるかを選択し、識別するために、ＵＥデバイスからの情報を使用し、互換性のある小カバレージエリア基地局についての情報を転送する。
【０１４０】
[0154]いくつかの実施形態では、基地局から検出されたＵＥデバイスに通信された情報は、ＵＥデバイスが識別された小カバレージエリア基地局にアクセスすることを可能にする情報を含む。
【０１４１】
[0155]様々な実施形態は、第１の基地局のエリア内でＵＥデバイスの存在を検出するために、第１の基地局、たとえばフェムト基地局またはＷｉＦｉ  ＡＰなどの小カバレージエリア基地局が、第２の基地局、たとえばマクロ基地局によって使用される第１の周波数帯域においてＵＥデバイスによって送信されたＵＥデバイス信号をモニタする例示的なシステムを対象とする。いくつかの実施形態では、第１の基地局は、ＵＥデバイスへの／からのユーザデータ、たとえばトラフィックデータの通信のために、第１の周波数帯域、たとえばマクロアップリンク周波数帯域と異なる第２の周波数帯域、たとえばＷｉＦｉ周波数帯域を使用する。いくつかの実施形態では、第２の周波数帯域は、ＵＥデバイスとの通信のために、前記第２の基地局、たとえばマクロＢＳによって使用されない。第１の基地局は、電力節約動作モードであり得、たとえば、第１の周波数帯域においてＵＥデバイス信号をモニタするときに、その送信機モジュールはパワーダウンされる。第１の基地局、たとえば小カバレージエリア基地局は、第１の周波数帯域においてＵＥデバイス信号を検出することに応答して、検出された信号を送信したＵＥデバイスに情報を送る。情報の通信は、バックホールリンクを介して第１の基地局、たとえば小カバレージエリア基地局から通信するための情報を与えられた第２の基地局、たとえばマクロ基地局を介するものでよく、またはＵＥデバイスに直接送信されてもよい。情報は、たとえば、第１の基地局の存在および／またはアイデンティティをＵＥデバイスに気づかせる情報であってよく、場合によっては、第１の基地局にアクセスするためにＵＥデバイスによって使用され得る情報、たとえば、第１の基地局、たとえば小カバレージエリア基地局にアクセスするために使用され得る周波数および／または通信リソースについての情報であってよい。いくつかの実施形態では、第１の基地局、たとえば小カバレージエリア基地局は、第２の基地局、たとえばマクロ基地局によって使用される周波数帯域においてそのような情報を送信するが、次いで、ユーザデータ、たとえば音声、テキスト、画像および／またはビデオの通信のために第２の周波数帯域を使用する。第１の基地局、たとえば小カバレージエリア基地局は、第１の（マクロ）周波数帯域においてＵＥデバイスからの信号、たとえばＵＥデバイスＩＤおよび／またはデバイス能力情報を示す信号の検出に応答して、低電力モニタリングモードから完全な送信／受信モードに切り替え得るので、ＵＥデバイスが第１の基地局のカバレージエリア内にないとき、第１の基地局は、低電力モードで動作し得、信号を送信しない。第１の基地局によって検出されたＵＥ信号は、マクロ周波数帯域を使用したデバイスからデバイスへの通信をサポートするために送信されたデバイスからデバイスへの発見信号、および／または、たとえばアクセス要求または他のシグナリング動作の一部として、マクロ基地局へ送信された信号、である。
【０１４２】
[0156]特定の実施形態に応じて、小カバレージエリア基地局は、第１の（マクロ）周波数帯域をモニタすることができる受信機と、第２の周波数帯域、たとえばフェムト帯域またはＷｉＦｉ帯域においてＵＥデバイスと通信するための送信機と受信機の両方と、を含むことになる。特定の実施形態に応じて、第１の基地局は、第２の（マクロ）基地局へのバックホール接続、または第１の（マクロ）周波数帯域において情報を送信することができる送信機を持ってよく、または持たなくてもよい。
【０１４３】
[0157]本明細書で説明する方法および装置は、小カバレージエリア基地局が、当該小カバレージエリア基地局の近傍にあるＵＥデバイスの存在を検出することと、当該小カバレージエリア基地局によって使用される周波数帯域において発見情報を送信するようＵＥデバイスに要求することなく、およびユーザデータを通信するために当該小カバレージエリア基地局によって使用される周波数帯域に切り替えることおよび／またはモニタすることをＵＥデバイスに要求することなく、検出されたＵＥデバイスに情報を通信することと、を可能にすることを諒解されたい。さらに、小カバレージエリア基地局は、ＵＥデバイスが当該小カバレージエリア基地局のカバレージエリア内で検出されないとき、発見信号を、第１の周波数帯域または第２の周波数帯域のいずれかにおいて所定の手順でまたは周期的に送信する必要はなく、それによって、そのような送信によって引き起こされる干渉を低減および／または回避する。
【０１４４】
[0158]様々な実施形態の技法は、ソフトウェア、ハードウェア、および／またはソフトウェアとハードウェアの組合せを使用して実装され得る。様々な実施形態は、装置、たとえば、モバイルワイヤレス端末などのモバイルノードを含むユーザ機器（ＵＥ）デバイス、ｍａｃｏ基地局および小カバレージエリア基地局を含む基地局たとえばフェムト基地局、ピコ基地局、マイクロ基地局、ＷｉＦｉアクセスポイント、ブルートゥースアクセスポイント、たとえばネットワークノード、ならびに通信システムを対象とする。様々な実施形態はまた、方法、たとえば通信デバイスを制御するおよび／または動作させる方法を対象とし、通信デバイスは、たとえば、モバイルワイヤレス端末たとえば複数のモデムを含むスマートフォンなどのユーザ機器（ＵＥ）デバイス、小カバレージエリア基地局たとえばフェムトセル基地局、ピコ基地局、マイクロ基地局、ＷｉＦｉ  ＡＰ、ブルートゥースＡＰなどの基地局、制御ノード、および／または通信システムである。様々な実施形態はまた、方法の１つまたは複数のステップを実装するように機械を制御するための機械可読命令を含む、非一時的機械、たとえば、コンピュータ、可読媒体、たとえば、ＲＯＭ、ＲＡＭ、ＣＤ、ハードディスクなどを対象とする。
【０１４５】
[0159]開示したプロセス中のステップの特定の順序または階層は、例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１４６】
[0160]様々な実施形態では、本明細書で説明したデバイスおよびノードは、１つまたは複数の方法に対応するステップ、たとえば、信号生成、送信、処理および／または受信のステップを実行するための１つまたは複数のモジュールを使用して実装される。したがって、いくつかの実施形態では、様々な特徴はモジュールを使用して実装される。そのようなモジュールは、ソフトウェア、ハードウェアまたはソフトウェアとハードウェアの組合せを使用して実装できる。上記で説明した方法または方法ステップの多くは、たとえば１つまたは複数のノードにおいて、上記で説明した方法の全部または一部を実装するために、追加のハードウェアの有無にかかわらず、機械、たとえば汎用コンピュータを制御する、メモリデバイスなど、たとえば、ＲＡＭ、フロッピー（登録商標）ディスクなどの機械可読媒体中に含まれる、ソフトウェアなどの機械実行可能命令を使用して実装され得る。したがって、特に、様々な実施形態は、機械、たとえば、プロセッサおよび関連するハードウェアに、上記で説明した（１つまたは複数の）方法のステップのうちの１つまたは複数を実行することを行わせるための機械実行可能命令を含む機械可読媒体、たとえば、非一時的コンピュータ可読媒体を対象とする。いくつかの実施形態は、本発明の１つまたは複数の方法のステップのうちの１つ、複数、またはすべてを実施するように構成されたプロセッサを含むデバイスを対象とする。
【０１４７】
[0161]いくつかの実施形態では、１つまたは複数のデバイス、たとえば、ユーザ機器（ＵＥ）デバイスたとえばスマートフォンなどの通信デバイス、および／または基地局たとえば小カバレージエリア基地局の１つまたは複数のプロセッサ、たとえばＣＰＵは、デバイスによって実行されるものとして説明した方法のステップを実行するように構成される。プロセッサの構成は、プロセッサ構成を制御するために１つまたは複数のモジュール、たとえば、ソフトウェアモジュールを使用することによって、ならびに／あるいは説明したステップを実行するため、および／またはプロセッサ構成を制御するためにハードウェア、たとえば、ハードウェアモジュールをプロセッサ中に含めることによって達成され得る。したがって、すべてとは限らないがいくつかの実施形態は、通信デバイス、たとえばユーザ機器デバイスたとえば複数のモデムを有するスマートフォン、またはプロセッサが含まれるデバイスによって実行される様々な説明した方法のステップの各々に対応するモジュールを含むプロセッサを有する基地局、たとえば小カバレージエリア基地局を対象とする。すべてとは限らないがいくつかの実施形態では、通信デバイスは、プロセッサが含まれるデバイスによって実行される様々な説明した方法のステップの各々に対応するモジュールを含む。それらのモジュールは、単にハードウェアで、たとえば、回路として実装され得るか、あるいはソフトウェアおよび／またはハードウェアまたはソフトウェアとハードウェアの組合せを使用して実装され得る。
【０１４８】
[0162]いくつかの実施形態は、１つのコンピュータまたは複数のコンピュータに、様々な機能、ステップ、行為、および／または動作、たとえば、上述の１つまたは複数のステップを実施させるためのコードを備えるコンピュータ可読媒体を備えるコンピュータプログラム製品を対象とする。実施形態に応じて、コンピュータプログラム製品は、実行すべきステップごとに異なるコードを含むことができ、時々含む。したがって、コンピュータプログラム製品は、方法、たとえば、通信デバイスたとえばユーザ機器たとえばワイヤレス端末、またはノードたとえば小カバレージエリア基地局などの基地局を動作させる方法の各個別のステップに対するコードを含み得、時々含む。コードは、ＲＡＭ（ランダムアクセスメモリ）、ＲＯＭ（読取り専用メモリ）または他のタイプの記憶デバイスなどのコンピュータ可読媒体上に記憶された機械実行可能命令、たとえば、コンピュータ実行可能命令の形態であり得る。コンピュータプログラム製品を対象とすることに加えて、いくつかの実施形態は、上記で説明した１つまたは複数の方法の様々な機能、ステップ、行為および／または動作のうちの１つまたは複数を実装するように構成されたプロセッサを対象とする。したがって、いくつかの実施形態は、本明細書で説明した方法のステップの一部または全部を実装するように構成されたプロセッサ、たとえばＣＰＵを対象とする。プロセッサは、たとえば、本出願で説明した通信デバイスまたは他のデバイス中で使用するためのものであり得る。
【０１４９】
[0163]ＯＦＤＭシステムに関して説明したが、様々な実施形態の方法および装置のうちの少なくともいくつかは、多くの非ＯＦＤＭおよび／または非セルラーシステムを含む広範囲の通信システムに適用可能である。
【０１５０】
[0164]上記の説明に鑑みて、上記で説明した様々な実施形態の方法および装置に関する多数の追加の変形形態が当業者には明らかであろう。そのような変形形態は範囲内に入ると考えるべきである。本方法および本装置は、ＣＤＭＡ、直交周波数分割多重（ＯＦＤＭ）、および／または基地局とユーザ機器デバイスたとえばモバイルノードとの間のワイヤレス通信リンクを与えるために使用され得る様々な他のタイプの通信技法とともに使用でき、様々な実施形態において使用される。いくつかの実施形態では、基地局のいくつか、たとえば小カバレージエリア基地局のいくつかは、ＯＦＤＭおよび／またはＣＤＭＡを使用してユーザ機器デバイスたとえばモバイルノードと通信リンクを設立するアクセスポイント、たとえばＷｉＦｉ  ＡＰまたはブルートゥースＡＰまたは他のＡＰとして実装される。様々な実施形態では、モバイルノードは、本方法を実装するための、受信機／送信機回路ならびに論理および／またはルーチンを含む、ノートブックコンピュータ、個人情報端末（ＰＤＡ）、スマートフォン、タブレット、パッド、または他のポータブルデバイスとして実装される。
以下に本願出願当初の特許請求の範囲を付記する。
[Ｃ１]  ユーザ機器（ＵＥ）デバイスを動作させる方法であって、
第１の通信プロトコルに従う発見信号を、小カバレージエリア基地局から第１の周波数帯域を介して、前記ＵＥデバイス内の第１のモデムにおいて受信することと、
前記発見信号を受信することに応答して、前記ＵＥデバイス内の第２のモデムに電源投入することと、
第２の通信プロトコルに従って前記小カバレージエリア基地局からの信号を求めて第２の周波数帯域を走査するために、または前記第２の周波数帯域において前記小カバレージエリア基地局にプローブ信号を送信するために、前記第２のモデムを動作させることと、前記プローブ信号は前記第２の通信プロトコルに従い、前記第２の通信プロトコルは前記第１の通信プロトコルとは異なる、
を備える方法。
[Ｃ２]  前記第１のモデムは、前記第１の周波数帯域を介してマクロ基地局と通信するように構成される、Ｃ１に記載の方法。
[Ｃ３]  前記第１のモデムが前記マクロ基地局とデータを通信するために使用される間に、前記小カバレージエリア基地局とデータを通信するために前記第２のモデムを動作させることをさらに備える、Ｃ２に記載の方法。
[Ｃ４]  前記第１の周波数帯域は、認可周波数帯域であり、
前記第２の周波数帯域は、無認可周波数帯域である、Ｃ１に記載の方法。
[Ｃ５]  前記第１のプロトコルは、セルラーワイヤレス無線プロトコルである、Ｃ１に記載の方法。
[Ｃ６]  第１の通信プロトコルに従う発見信号を、小カバレージエリア基地局から第１の周波数帯域を介して、前記ＵＥデバイス内の第１のモデムにおいて受信するための手段と、
前記発見信号を受信することに応答して、前記ＵＥデバイス内の第２のモデムに電源投入するための手段と、
第２の通信プロトコルに従って前記小カバレージエリア基地局からの信号を求めて第２の周波数帯域を走査するために、または前記第２の周波数帯域において前記小カバレージエリア基地局にプローブ信号を送信するために、前記第２のモデムを動作させるための手段と、前記プローブ信号は前記第２の通信プロトコルに従い、前記第２の通信プロトコルは前記第１の通信プロトコルと異なる、
を備える、ユーザ機器（ＵＥ）デバイス。
[Ｃ７]  前記第１のモデムは、前記第１の周波数帯域を介してマクロ基地局と通信するように構成される、Ｃ６に記載のＵＥデバイス。
[Ｃ８]  前記第１のモデムが前記マクロ基地局とデータを通信するために使用される間に、前記小カバレージエリア基地局とデータを通信するために前記第２のモデムを動作させるための手段をさらに備える、Ｃ７に記載のＵＥデバイス。
[Ｃ９]  前記第１の周波数帯域は、認可周波数帯域であり、
前記第２の周波数帯域は、無認可周波数帯域である、Ｃ６に記載のＵＥデバイス。
[Ｃ１０]  前記第１のプロトコルは、セルラーワイヤレス無線プロトコルである、Ｃ６に記載のＵＥデバイス。
[Ｃ１１]  ユーザ機器（ＵＥ）デバイスにおいて使用するためのコンピュータプログラム製品であって、
第１の通信プロトコルに従う発見信号を、小カバレージエリア基地局から第１の周波数帯域を介して受信するために、少なくとも１つのコンピュータに前記ＵＥデバイス内の第１のモデムを動作させるためのコードと、
前記発見信号を受信することに応答して、少なくとも１つのコンピュータに前記ＵＥデバイス内の第２のモデムに電源投入させるためのコードと、
第２の通信プロトコルに従って前記小カバレージエリア基地局からの信号を求めて第２の周波数帯域を走査するために、または前記第２の周波数帯域において前記小カバレージエリア基地局にプローブ信号を送信するために、前記少なくとも１つのコンピュータに前記第２のモデムを動作させるためのコードと、前記プローブ信号は前記第２の通信プロトコルに従い、前記第２の通信プロトコルは前記第１の通信プロトコルとは異なる、
を備えた非一時的コンピュータ可読媒体を備える、コンピュータプログラム製品。
[Ｃ１２]  第１の通信プロトコルに従う発見信号を、小カバレージエリア基地局から第１の周波数帯域を介して受信するために、ＵＥデバイス内の第１のモデムを動作させることと、
前記発見信号を受信することに応答して、前記ＵＥデバイス内の第２のモデムに電源投入することと、
第２の通信プロトコルに従って前記小カバレージエリア基地局からの信号を求めて第２の周波数帯域を走査するために、または前記第２の周波数帯域において前記小カバレージエリア基地局にプローブ信号を送信するために、前記第２のモデムを動作させることと、前記プローブ信号は前記第２の通信プロトコルに従い、前記第２の通信プロトコルは前記第１の通信プロトコルとはなり、
を行うように構成された少なくとも１つのプロセッサと、
前記少なくとも１つのプロセッサに結合されたメモリと、
を備える、ユーザ機器（ＵＥ）デバイス。
[Ｃ１３]  前記第１のモデムは、前記第１の周波数帯域を介してマクロ基地局と通信するように構成される、Ｃ１２に記載のＵＥデバイス。
[Ｃ１４]  前記少なくとも１つのプロセッサは、
前記第１のモデムが前記マクロ基地局とデータを通信するために使用される間に、前記小カバレージエリア基地局とデータを通信するために前記第２のモデムを動作させるようにさらに構成される、Ｃ１３に記載のＵＥデバイス。
[Ｃ１５]  前記第１の周波数帯域は、認可周波数帯域であり、
前記第２の周波数帯域は、無認可周波数帯域である、Ｃ１２に記載のＵＥデバイス。
[Ｃ１６]  第１の基地局を動作させる方法であって、
第１の周波数帯域においてＵＥデバイスによって送信された信号を検出するために、第２の基地局によって使用される前記第１の周波数帯域をモニタすることと、
前記モニタすることが、前記第１の周波数帯域においてＵＥデバイスによって送信された信号を検出することに応答して、前記第１の基地局についての情報を前記ＵＥデバイスに通信することと、
を備える方法。
[Ｃ１７]  前記第１の周波数帯域は、前記第２の基地局によって使用されるが、ユーザデータを通信するために前記第１の基地局によっては使用されない周波数帯域である、Ｃ１６に記載の方法。
[Ｃ１８]  前記第１の基地局についての前記情報は、第１の基地局識別情報を含む、Ｃ１６に記載の方法。
[Ｃ１９]  前記第１の基地局についての前記情報は、前記第１の基地局にアクセスするために使用され得る通信リソースを示す情報をさらに含む、Ｃ１６に記載の方法。
[Ｃ２０]  前記第１の基地局についての情報を前記ＵＥデバイスに通信することは、
前記第２の基地局に前記情報を前記ＵＥデバイスに送信させるために、前記第２の基地局に信号を送ることを含む、Ｃ１６に記載の方法。
[Ｃ２１]  第１の周波数帯域においてＵＥデバイスによって送信された信号を検出するために、第２の基地局によって使用される前記第１の周波数帯域をモニタするための手段と、
前記モニタすることが、前記第１の周波数帯域においてＵＥデバイスによって送信された信号を検出することに応答して、第１の基地局についての情報を前記ＵＥデバイスに通信するための手段と、
を備える、第１の基地局。
[Ｃ２２]  前記第１の周波数帯域は、前記第２の基地局によって使用されるが、ユーザデータを通信するために前記第１の基地局によっては使用されない周波数帯域である、Ｃ２１に記載の第１の基地局。
[Ｃ２３]  前記第１の基地局についての前記情報は、第１の基地局識別情報を含む、Ｃ２１に記載の第１の基地局。
[Ｃ２４]  前記第１の基地局についての前記情報は、前記第１の基地局にアクセスするために使用され得る通信リソースを示す情報をさらに含む、Ｃ２１に記載の第１の基地局。
[Ｃ２５]  前記第１の基地局についての情報を前記ＵＥデバイスに通信するための前記手段は、
前記第２の基地局に前記情報を前記ＵＥデバイスに送信させるために、前記第２の基地局に信号を送るための手段を含む、Ｃ２１に記載の第１の基地局。
[Ｃ２６]  第１の基地局において使用するためのコンピュータプログラム製品であって、
第１の周波数帯域においてＵＥデバイスによって送信された信号を検出するために、少なくとも１つのコンピュータに、第２の基地局によって使用される前記第１の周波数帯域をモニタさせるためのコードと、
前記モニタすることが、前記第１の周波数帯域においてＵＥデバイスによって送信された信号を検出することに応答して、前記少なくとも１つのコンピュータに、前記第１の基地局についての情報を前記ＵＥデバイスに通信させるためのコードと、
を備える非一時的コンピュータ可読媒体を備える、コンピュータプログラム製品。
[Ｃ２７]  第１の周波数帯域においてＵＥデバイスによって送信された信号を検出するために、第２の基地局によって使用される前記第１の周波数帯域をモニタすることと、
前記モニタすることが、前記第１の周波数帯域においてＵＥデバイスによって送信された信号を検出することに応答して、第１の基地局についての情報を前記ＵＥデバイスに通信することと、
を行うように構成された少なくとも１つのプロセッサと、
前記少なくとも１つのプロセッサに結合されたメモリと、
を備える、第１の基地局。
[Ｃ２８]  前記第１の周波数帯域は、前記第２の基地局によって使用されるが、ユーザデータを通信するために前記第１の基地局によっては使用されない周波数帯域である、Ｃ２７に記載の第１の基地局。
[Ｃ２９]  前記第１の基地局についての前記情報は、第１の基地局識別情報を含む、Ｃ２７に記載の第１の基地局。
[Ｃ３０]  前記第１の基地局についての前記情報は、前記第１の基地局にアクセスするために使用され得る通信リソースを示す情報をさらに含む、Ｃ２７に記載の第１の基地局。
【図１】
0006426139.tif 000002
【図２】
0006426139.tif 000003
【図３】
0006426139.tif 000004
【図４】
0006426139.tif 000005
【図５Ａ】
0006426139.tif 000006
【図５Ｂ】
0006426139.tif 000007
【図６】
0006426139.tif 000008
【図７Ａ】
0006426139.tif 000009
【図７Ｂ】
0006426139.tif 000010
【図８】
0006426139.tif 000011
【図９】
0006426139.tif 000012
【図１０】
0006426139.tif 000013
【図１１】
0006426139.tif 000014
【図１２】
0006426139.tif 000015
【図１３】
0006426139.tif 000016
【図１４】
0006426139.tif 000017
【図１５】
0006426139.tif 000018